(57)【要約】  本開示の実施例は、参照信号受信・送信方法、受信・送信装置、および記憶媒体を開示する。ここで、受信方法は、参照信号の送信に使用される参照信号リソースを決定することと、参照信号リソースで送信した参照信号を受信することとを含み、送信方法は、参照信号の送信に使用される参照信号リソースを決定することと、決定した参照信号リソースで参照信号を送信することとを含む。【選択図】図２
2021511714.tif 000002
【特許請求の範囲】
【請求項１】
参照信号の送信に使用される参照信号リソースを決定することと、
前記参照信号リソースで送信した参照信号を受信することと、
を含む、参照信号受信方法。
【請求項２】
前記参照信号リソースは周波数領域リソースを含み、前記参照信号の送信コームインデックスに基づき、前記参照信号の送信に使用される周波数領域リソースを決定する、請求項１に記載の方法。
【請求項３】
前記参照信号の送信コームインデックスを決定する方式は、
上位層無線リソース制御ＲＲＣシグナリングに基づいて送信コームインデックスおよびインデックスオフセット量を設定し、前記参照信号の送信コームインデックスを決定するという方式と、
前記参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、
のうちの１つを含む、請求項２に記載の方法。
【請求項４】
参照信号が位置するスロットのインデックスと、参照信号が位置するシンボルのインデックスと、参照信号または参照信号リソースが占めるシンボル数と、参照信号のシーケンスアイデンティティＩＤと、無線ネットワーク一時的識別子ＲＮＴＩと、参照信号の送信コーム数と、セル識別子ＩＤとの少なくとも１つのパラメータに基づき、前記参照信号のインデックスオフセット量を決定することを更に含む、請求項３に記載の方法。
【請求項５】
前記参照信号のインデックスオフセット量または前記予め定義された参照信号の送信コームインデックスは、以下の数式により決定される、請求項３に記載の方法。
【数１】
2021511714.tif 000093
【数２】
2021511714.tif 000094
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【数３】
2021511714.tif 000095
は擬似ランダムシーケンスにおける番号
【数４】
2021511714.tif 000096
に対応する数値であり、
【数５】
2021511714.tif 000097
は擬似ランダムシーケンスにおける番号
【数６】
2021511714.tif 000098
に対応する数値であり、
【数７】
2021511714.tif 000099
は１つの無線フレーム内のスロット番号である。）
【請求項６】
前記擬似ランダムシーケンスの初期値は、
【数８】
2021511714.tif 000100
【数９】
2021511714.tif 000101
【数１０】
2021511714.tif 000102
【数１１】
2021511714.tif 000103
【数１２】
2021511714.tif 000104
【数１３】
2021511714.tif 000105
または、
【数１４】
2021511714.tif 000106
のいずれか１つを含む、請求項５に記載の方法。
（ただし、
【数１５】
2021511714.tif 000107
はセル識別子ＩＤであり、
【数１６】
2021511714.tif 000108
は参照信号のシーケンスＩＤまたは仮想セルＩＤであり、
【数１７】
2021511714.tif 000109
はラウンドダウン関数であり、Δｓｓ∈｛０，１，．．．，ＮＴＣ−１｝である。）
【請求項７】
複数のポートの参照信号に使用される送信コームインデックスを決定することを更に含む、請求項２に記載の方法。
【請求項８】
前記複数のポートの参照信号に使用される送信コームインデックスを決定することは、Ｎａｐ個のポートの参照信号に使用されるＮ個の送信コームインデックスを決定することを含み、
ＮａｐがＮに等しいことと、
前記Ｎａｐ個のポートをＬ個のポートグループに分け、ＬがＮに等しい場合、Ｎ個のポートグループと前記Ｎ個の送信コームとの間に１対１の対応関係があることと、
前記Ｎａｐ個のポートを
【数１８】
2021511714.tif 000110
個のポートグループに分け、各ポートグループにおけるＮ個のポートと前記Ｎ個の送信コームとの間に１対１の対応関係があることであって、
【数１９】
2021511714.tif 000111
は切り上げ関数であることと、
の少なくとも１つを含む、請求項７に記載の方法。
【請求項９】
前記複数のポートの参照信号に使用される送信コームインデックスを決定することは、
異なるポートまたはポートグループの参照信号が異なる送信コームインデックスを使用することを予め定義することと、
ポートグループ内の異なるポートが同じ送信コームインデックスを使用することを予め定義し、ポートグループ間のポートが異なる送信コームインデックスを使用することを予め定義することと、
ポートグループ内の異なるポートが異なる送信コームインデックスを使用することを予め定義し、ポートグループ間のポートが同じ送信コームインデックスを使用することを予め定義することと、
の少なくとも１つを含む、請求項７に記載の方法。
【請求項１０】
前記複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式であって、Ｌは複数のポートをグループ分けした後のグループ数である方式との少なくとも１つを含む、請求項７に記載の方法。
【請求項１１】
前記ポートグループのグループ分け方法は、
ポートインデックスの逓増順序または逓減順序に基づいてグループ分けするという方法と、
ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは前記参照信号のポートインデックスであり、Ｌは複数のポートをグループ分けした後のグループ数である方法と、
の１つを含む、請求項８〜１０のいずれか１項に記載の方法。
【請求項１２】
前記複数のポートの参照信号に使用される送信コームインデックスを決定することは、前記参照信号リソースが設定した送信コームインデックスがｋである場合、前記複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定することであって、ｍｏｄはモジュロ関数であり、Ｐｉは前記参照信号のポートインデックスであり、ＫＴＣは参照信号の送信コーム数であることを含む、請求項７に記載の方法。
【請求項１３】
前記複数のポートの参照信号に使用される送信コームインデックスを決定することは、シグナリングにより、前記複数のポートの参照信号が占める送信コーム数を設定することを含む、請求項７に記載の方法。
【請求項１４】
前記参照信号に対応する巡回シフトパラメータに基づいて前記参照信号の送信コームインデックスを取得すること、または、前記参照信号の巡回シフトが位置するセグメント位置に基づいて前記参照信号の送信コームインデックスを取得することを更に含む、請求項２に記載の方法。
【請求項１５】
前記参照信号に対応する巡回シフトパラメータに基づいて前記参照信号の送信コームインデックスを取得することは、以下の少なくとも１つを含む、請求項１４に記載の方法。
【数２０】
2021511714.tif 000112
（ただし、
【数２１】
2021511714.tif 000113
はポートに使用される送信コームインデックスであり、ＫＴＣは参照信号の送信コーム数であり、Ｐｉは前記参照信号のポートインデックスであり、Ｎａｐは参照信号の送信ポート数であり、
【数２２】
2021511714.tif 000114
はシグナリングが設定した送信コームインデックスであり、
【数２３】
2021511714.tif 000115
は参照信号巡回シフトであり、
【数２４】
2021511714.tif 000116
は参照信号巡回シフトの最大番号または参照信号巡回シフトの使用可能な数である。）
【請求項１６】
前記参照信号の送信に使用される参照信号リソースを決定する前に、
参照信号の送信に使用される送信コームインデックスを決定することに用いられ、または前記参照信号を受信して処理する根拠として用いられる連携情報を受信することを更に含む、請求項２に記載の方法。
【請求項１７】
前記参照信号リソースで送信した参照信号を受信することは、
前記連携情報に基づき、前記参照信号リソースを使用して送信した参照信号を、高級受信機を用いて受信して処理することを含む、請求項１６に記載の方法。
【請求項１８】
前記連携情報は、参照信号の送信コームインデックスを指示するための情報と、参照信号のシーケンスＩＤと、参照信号が占める時間周波数リソース情報との少なくとも１つを含む、請求項１６に記載の方法。
【請求項１９】
シグナリングにより、前記参照信号リソースを設定することを更に含む、請求項１に記載の方法。
【請求項２０】
前記シグナリングにより、前記参照信号リソースを設定することは、前記参照信号が非周期的参照信号またはタイプ１の参照信号である場合、シグナリングにより、前記参照信号リソースのスロットオフセットパラメータを設定することを含む、請求項１９に記載の方法。
【請求項２１】
前記参照信号の送信に使用される参照信号リソースを決定することは、前記スロットオフセット値が０である場合、前記参照信号リソースが現在のスロットに適用されることを決定することと、前記スロットオフセット値が１である場合、前記参照信号リソースが上り送信リソースを有する次のスロットに適用されることを決定することと、または、前記スロットオフセット値が１である場合、前記参照信号リソースが現在のスロットに適用されることを決定することと、前記スロットオフセット値が０である場合、前記参照信号リソースが上り送信リソースを有する次のスロットに適用されることを決定することとを含む、請求項２０に記載の方法。
【請求項２２】
前記シグナリングにより、前記参照信号リソースを設定することは、シグナリングにより、その間の時間領域保護間隔がＹ個の時間領域シンボルである複数の参照信号リソースを設定することを含み、Ｙの値の取り方は、
送信装置自身の能力に基づいてＹの値を決定するという方式と、
シグナリングによりＹの値を設定するという方式と、
異なるサブキャリア間隔に異なるＹの値を設定するという方式と、
の少なくとも１つを含む、請求項１９に記載の方法。
【請求項２３】
前記異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む、請求項２２に記載の方法。
【請求項２４】
前記シグナリングにより、複数の参照信号リソースを設定することは、番号ｎの参照信号リソースおよび番号ｎ＋１の参照信号リソースに対応する時間領域開始シンボルの位置がそれぞれｍおよびｇであり、ｇがｍ以下である場合、前記番号ｎ＋１の参照信号リソースを次の連続または非連続のスロットにおける上りシンボルに作用することを含む、請求項１９に記載の方法。
【請求項２５】
前記シグナリングにより、複数の参照信号リソースを設定することは、シグナリングにより、番号が逓増方式で変化する複数の参照信号リソースを設定することを含む、請求項１９に記載の方法。
【請求項２６】
前記番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用することを更に含む、請求項２５に記載の方法。
【請求項２７】
前記参照信号リソースは符号領域リソースを含み、参照信号のシーケンスグループ番号およびシーケンス番号に基づき、参照信号の送信に使用される符号領域リソースを決定する、請求項１に記載の方法。
【請求項２８】
前記参照信号のシーケンス番号がジャンプイネーブルに設定された場合、参照信号のシーケンスＩＤを用いて擬似ランダムシーケンスを初期化するか、または
【数２５】
2021511714.tif 000117
を用いて擬似ランダムシーケンスの初期値とする、請求項２７に記載の方法。
（ただし、
【数２６】
2021511714.tif 000118
は参照信号のシーケンスＩＤまたは仮想セルＩＤであり、ｍｏｄはモジュロ関数である。）
【請求項２９】
前記参照信号に使用される、シグナリングにより設定されるかまたは前記参照信号の送信コーム数に関連する送信電力を決定することを更に含む、請求項１に記載の方法。
【請求項３０】
前記参照信号に使用される送信電力は、上りデータまたは物理上り共用チャネルに対してＱ  ｄＢ増大させるかまたはＱ  ｄＢ低減させる送信電力を含み、
前記シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含み、
前記送信電力が前記参照信号の送信コーム数に関連することは、参照信号の送信コームインデックス数が８である場合、Ｑは９であることと、参照信号の送信コーム数が１６である場合、Ｑは１２であることとを含む、請求項２９に記載の方法。
【請求項３１】
参照信号の送信に使用される参照信号リソースを決定することと、
決定した参照信号リソースで参照信号を送信することと、
を含む、参照信号送信方法。
【請求項３２】
前記参照信号リソースは周波数領域リソースを含み、前記参照信号の送信コームインデックスに基づき、前記参照信号の送信に使用される周波数領域リソースを決定する、請求項３１に記載の方法。
【請求項３３】
前記参照信号の送信コームインデックスを決定する方式は、
上位層無線リソース制御ＲＲＣシグナリングに基づいて送信コームインデックスおよびインデックスオフセット量を設定し、前記参照信号の送信コームインデックスを決定するという方式と、
前記参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、
のうちの１つを含む、請求項３２に記載の方法。
【請求項３４】
参照信号が位置するスロットのインデックスと、参照信号が位置するシンボルのインデックスと、参照信号または参照信号リソースが占めるシンボル数と、参照信号のシーケンスアイデンティティＩＤと、無線ネットワーク一時的識別子ＲＮＴＩと、参照信号の送信コーム数と、セル識別子ＩＤとの少なくとも１つのパラメータに基づき、前記参照信号のインデックスオフセット量を決定することを更に含む、請求項３３に記載の方法。
【請求項３５】
前記参照信号のインデックスオフセット量または前記予め定義された参照信号の送信コームインデックスは、以下の数式により決定される、請求項３３に記載の方法。
【数２７】
2021511714.tif 000119
【数２８】
2021511714.tif 000120
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【数２９】
2021511714.tif 000121
は擬似ランダムシーケンスにおける番号
【数３０】
2021511714.tif 000122
に対応する数値であり、
【数３１】
2021511714.tif 000123
は擬似ランダムシーケンスにおける番号
【数３２】
2021511714.tif 000124
に対応する数値であり、
【数３３】
2021511714.tif 000125
は１つの無線フレーム内のスロット番号である。）
【請求項３６】
前記擬似ランダムシーケンスの初期値は、
【数３４】
2021511714.tif 000126
【数３５】
2021511714.tif 000127
【数３６】
2021511714.tif 000128
【数３７】
2021511714.tif 000129
【数３８】
2021511714.tif 000130
【数３９】
2021511714.tif 000131
または、
【数４０】
2021511714.tif 000132
のいずれか１つを含む、請求項３５に記載の方法。
（ただし、
【数４１】
2021511714.tif 000133
はセル識別子ＩＤであり、
【数４２】
2021511714.tif 000134
は参照信号のシーケンスＩＤまたは仮想セルＩＤであり、
【数４３】
2021511714.tif 000135
はラウンドダウン関数であり、Δｓｓ∈｛０，１，．．．，ＮＴＣ−１｝である。）
【請求項３７】
複数のポートの参照信号に使用される送信コームインデックスを決定することを更に含む、請求項３２に記載の方法。
【請求項３８】
前記複数のポートの参照信号に使用される送信コームインデックスを決定することは、Ｎａｐ個のポートの参照信号に使用されるＮ個の送信コームインデックスを決定することを含み、
ＮａｐがＮに等しいことと、
前記Ｎａｐ個のポートをＬ個のポートグループに分け、ＬがＮに等しい場合、Ｎ個のポートグループと前記Ｎ個の送信コームとの間に１対１の対応関係があることと、
前記Ｎａｐ個のポートを
【数４４】
2021511714.tif 000136
個のポートグループに分け、各ポートグループにおけるＮ個のポートと前記Ｎ個の送信コームとの間に１対１の対応関係があることであって、
【数４５】
2021511714.tif 000137
は切り上げ関数であることと、
の少なくとも１つを含む、請求項３７に記載の方法。
【請求項３９】
前記複数のポートの参照信号に使用される送信コームインデックスを決定することは、
異なるポートまたはポートグループの参照信号が異なる送信コームインデックスを使用することを予め定義することと、
ポートグループ内の異なるポートが同じ送信コームインデックスを使用することを予め定義し、ポートグループ間のポートが異なる送信コームインデックスを使用することを予め定義することと、
ポートグループ内の異なるポートが異なる送信コームインデックスを使用することを予め定義し、ポートグループ間のポートが同じ送信コームインデックスを使用することを予め定義することと、
の少なくとも１つを含む、請求項３７に記載の方法。
【請求項４０】
前記複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式であって、Ｌは複数のポートをグループ分けした後のグループ数である方式との少なくとも１つを含む、請求項３７に記載の方法。
【請求項４１】
前記ポートグループのグループ分け方法は、
ポートインデックスの逓増順序または逓減順序に基づいてグループ分けするという方法と、
ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは前記参照信号のポートインデックスであり、Ｌは複数のポートをグループ分けした後のグループ数である方法と、
の１つを含む、請求項３８〜４０のいずれか１項に記載の方法。
【請求項４２】
前記複数のポートの参照信号に使用される送信コームインデックスを決定することは、前記参照信号リソースが設定した送信コームインデックスがｋである場合、前記複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定することであって、ｍｏｄはモジュロ関数であり、Ｐｉは前記参照信号のポートインデックスであり、ＫＴＣは参照信号の送信コーム数であることを含む、請求項３７に記載の方法。
【請求項４３】
前記複数のポートの参照信号に使用される送信コームインデックスを決定することは、シグナリングにより、前記複数のポートの参照信号が占める送信コーム数を設定することを含む、請求項３７に記載の方法。
【請求項４４】
前記参照信号に対応する巡回シフトパラメータに基づいて前記参照信号の送信コームインデックスを取得すること、または、前記参照信号の巡回シフトが位置するセグメント位置に基づいて前記参照信号の送信コームインデックスを取得することを更に含む、請求項３２に記載の方法。
【請求項４５】
前記参照信号に対応する巡回シフトパラメータに基づいて前記参照信号の送信コームインデックスを取得することは、以下の少なくとも１つを含む、請求項４４に記載の方法。
【数４６】
2021511714.tif 000138
（ただし、
【数４７】
2021511714.tif 000139
はポートに使用される送信コームインデックスであり、ＫＴＣは参照信号の送信コーム数であり、Ｐｉは前記参照信号のポートインデックスであり、Ｎａｐは参照信号の送信ポート数であり、
【数４８】
2021511714.tif 000140
はシグナリングが設定した送信コームインデックスであり、
【数４９】
2021511714.tif 000141
は参照信号巡回シフトであり、
【数５０】
2021511714.tif 000142
は参照信号巡回シフトの最大番号または参照信号巡回シフトの使用可能な数である。）
【請求項４６】
前記参照信号の送信に使用される参照信号リソースを決定する前に、
参照信号の送信に使用される送信コームインデックスを決定するための連携情報を受信することを更に含む、請求項３２に記載の方法。
【請求項４７】
前記連携情報は、参照信号の送信コームインデックスを指示するための情報と、参照信号のシーケンスＩＤと、参照信号が占める時間周波数リソース情報との少なくとも１つを含む、請求項４６に記載の方法。
【請求項４８】
シグナリングにより、前記参照信号リソースを設定することを更に含む、請求項３１に記載の方法。
【請求項４９】
前記シグナリングにより、前記参照信号リソースを設定することは、前記参照信号が非周期的参照信号またはタイプ１の参照信号である場合、シグナリングにより、前記参照信号リソースのスロットオフセットパラメータを設定することを含む、請求項４８に記載の方法。
【請求項５０】
前記参照信号の送信に使用される参照信号リソースを決定することは、前記スロットオフセット値が０である場合、前記参照信号リソースが現在のスロットであることを決定することと、前記スロットオフセット値が１である場合、前記参照信号リソースが上り送信リソースを有する次のスロットであることを決定することと、または、前記スロットオフセット値が１である場合、前記参照信号リソースが現在のスロットであることを決定することと、前記スロットオフセット値が０である場合、前記参照信号リソースが上り送信リソースを有する次のスロットであることを決定することとを含む、請求項４９に記載の方法。
【請求項５１】
前記シグナリングにより、前記参照信号リソースを設定することは、シグナリングにより複数の参照信号リソースを設定する場合、前記複数の参照信号リソースの間の時間領域保護間隔はＹ個の時間領域シンボルであることを含み、Ｙの値の取り方は、
送信能力に基づいてＹの値を決定するという方式と、
シグナリングによりＹの値を設定するという方式と、
異なるサブキャリア間隔に異なるＹの値を設定するという方式と、
の少なくとも１つを含む、請求項４８に記載の方法。
【請求項５２】
前記異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む、請求項５１に記載の方法。
【請求項５３】
前記シグナリングにより、複数の参照信号リソースを設定することは、番号ｎの参照信号リソースおよび番号ｎ＋１の参照信号リソースに対応する時間領域開始シンボルの位置がそれぞれｍおよびｇであり、ｇがｍ以下である場合、前記番号ｎ＋１の参照信号リソースを次の連続または非連続のスロットにおける上りシンボルに作用することを含む、請求項４８に記載の方法。
【請求項５４】
シグナリングにより、複数の参照信号リソースを設定することは、シグナリングにより、番号が逓増方式で変化する複数の参照信号リソースを設定することを含む、請求項４８に記載の方法。
【請求項５５】
前記番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用することを更に含む、請求項５４に記載の方法。
【請求項５６】
前記参照信号リソースは符号領域リソースを含み、参照信号のシーケンスグループ番号およびシーケンス番号に基づき、参照信号の送信に使用される符号領域リソースを決定する、請求項３１に記載の方法。
【請求項５７】
前記参照信号のシーケンス番号がジャンプイネーブルに設定された場合、参照信号のシーケンスＩＤを用いて擬似ランダムシーケンスを初期化するか、または
【数５１】
2021511714.tif 000143
を用いて擬似ランダムシーケンスの初期値とする、請求項５６に記載の方法。
（ただし、
【数５２】
2021511714.tif 000144
は参照信号のシーケンスＩＤまたは仮想セルＩＤであり、ｍｏｄはモジュロ関数である。）
【請求項５８】
前記参照信号に使用される、シグナリングにより設定されるかまたは前記参照信号の送信コーム数に関連する送信電力を決定することを更に含む、請求項３１に記載の方法。
【請求項５９】
前記参照信号に使用される送信電力は、上りデータまたは物理上り共用チャネルに対してＱ  ｄＢ増大させるかまたはＱ  ｄＢ低減させる送信電力を含み、
前記シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含み、
前記送信電力が前記参照信号の送信コーム数に関連することは、参照信号の送信コームインデックス数が８である場合、Ｑは９であることと、参照信号の送信コーム数が１６である場合、Ｑは１２であることとを含む、請求項５８に記載の方法。
【請求項６０】
第１プロセッサおよび第１メモリを備え、
前記第１プロセッサは、前記第１メモリに記憶されたプログラムを実行し、
参照信号の送信に使用される参照信号リソースを決定するステップと、
前記参照信号リソースで送信した参照信号を受信するステップと、
を実現するように構成される、参照信号受信装置。
【請求項６１】
前記参照信号リソースは周波数領域リソースを含み、前記第１プロセッサは、前記第１メモリに記憶されたプログラムを実行し、前記参照信号の送信コームインデックスに基づき、前記参照信号の送信に使用される周波数領域リソースを決定するステップを実現するように構成される、請求項６０に記載の受信装置。
【請求項６２】
前記第１プロセッサは、前記第１メモリに記憶されたプログラムを実行し、
上位層無線リソース制御ＲＲＣシグナリングが設定した送信コームインデックスおよびインデックスオフセット量に基づき、前記参照信号の送信コームインデックスを決定するステップと、
前記参照信号リソース内の１つ目の時間領域シンボルにおいて参照信号リソースで設定した送信コームインデックスを使用し、残りの時間領域シンボルにおいて予め定義された参照信号の送信コームインデックスを使用することを決定するステップと、
を実現するように構成される、請求項６１に記載の受信装置。
【請求項６３】
前記第１プロセッサは、更に、前記第１メモリに記憶されたプログラムを実行し、
参照信号が位置するスロットのインデックスと、参照信号が位置するシンボルのインデックスと、参照信号または参照信号リソースが占めるシンボル数と、参照信号のシーケンスアイデンティティＩＤと、無線ネットワーク一時的識別子ＲＮＴＩと、参照信号の送信コーム数と、セル識別子ＩＤとの少なくとも１つのパラメータに基づき、前記参照信号のインデックスオフセット量を決定するステップを実現するように構成される、請求項６２に記載の受信装置。
【請求項６４】
前記第１プロセッサは、前記第１メモリに記憶されたプログラムを実行し、以下の数式に基づき、前記参照信号のインデックスオフセット量または前記予め定義された参照信号の送信コームインデックスを決定するステップを実現するように構成される、請求項６２に記載の受信装置。
【数５３】
2021511714.tif 000145
【数５４】
2021511714.tif 000146
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【数５５】
2021511714.tif 000147
は擬似ランダムシーケンスにおける番号
【数５６】
2021511714.tif 000148
に対応する数値であり、
【数５７】
2021511714.tif 000149
は擬似ランダムシーケンスにおける番号
【数５８】
2021511714.tif 000150
に対応する数値であり、
【数５９】
2021511714.tif 000151
は１つの無線フレーム内のスロット番号である。）
【請求項６５】
前記擬似ランダムシーケンスの初期値は、
【数６０】
2021511714.tif 000152
【数６１】
2021511714.tif 000153
【数６２】
2021511714.tif 000154
【数６３】
2021511714.tif 000155
【数６４】
2021511714.tif 000156
【数６５】
2021511714.tif 000157
または、
【数６６】
2021511714.tif 000158
のいずれか１つを含む、請求項６４に記載の受信装置。
（ただし、
【数６７】
2021511714.tif 000159
はセル識別子ＩＤであり、
【数６８】
2021511714.tif 000160
は参照信号のシーケンスＩＤまたは仮想セルＩＤであり、
【数６９】
2021511714.tif 000161
はラウンドダウン関数であり、Δｓｓ∈｛０，１，．．．，ＮＴＣ−１｝である。）
【請求項６６】
前記第１プロセッサは、更に、前記第１メモリに記憶されたプログラムを実行し、複数のポートの参照信号に使用される送信コームインデックスを決定するステップを実現するように構成される、請求項６１に記載の受信装置。
【請求項６７】
前記第１プロセッサは、前記第１メモリに記憶されたプログラムを実行し、Ｎａｐ個のポートの参照信号に使用されるＮ個の送信コームインデックスを決定するステップを実現するように構成され、前記ステップは、
ＮａｐがＮに等しいことと、
前記Ｎａｐ個のポートをＬ個のポートグループに分け、ＬがＮに等しい場合、Ｎ個のポートグループと前記Ｎ個の送信コームとの間に１対１の対応関係があることと、
前記Ｎａｐ個のポートを
【数７０】
2021511714.tif 000162
個のポートグループに分け、各ポートグループにおけるＮ個のポートと前記Ｎ個の送信コームとの間に１対１の対応関係があることであって、
【数７１】
2021511714.tif 000163
は切り上げ関数であることと、
の少なくとも１つを含む、請求項６６に記載の受信装置。
【請求項６８】
前記複数のポートの参照信号に使用される送信コームインデックスを決定することは、
異なるポートまたはポートグループの参照信号が異なる送信コームインデックスを使用することを予め定義することと、
ポートグループ内の異なるポートが同じ送信コームインデックスを使用することを予め定義し、ポートグループ間のポートが異なる送信コームインデックスを使用することを予め定義することと、
ポートグループ内の異なるポートが異なる送信コームインデックスを使用することを予め定義し、ポートグループ間のポートが同じ送信コームインデックスを使用することを予め定義することと、
の少なくとも１つを含む、請求項６６に記載の受信装置。
【請求項６９】
前記複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式であって、Ｌは複数のポートをグループ分けした後のグループ数である方式との少なくとも１つを含む、請求項６６に記載の受信装置。
【請求項７０】
前記ポートグループのグループ分け方法は、
ポートインデックスの逓増順序または逓減順序に基づいてグループ分けするという方法と、
ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは前記参照信号のポートインデックスであり、Ｌは複数のポートをグループ分けした後のグループ数である方法と、
の１つを含む、請求項６７〜６９のいずれか１項に記載の受信装置
【請求項７１】
前記第１プロセッサは、前記第１メモリに記憶されたプログラムを実行し、前記参照信号リソースが設定した送信コームインデックスがｋである場合、前記複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定するステップであって、ｍｏｄはモジュロ関数であり、Ｐｉは前記参照信号のポートインデックスであり、ＫＴＣは参照信号の送信コーム数であるステップを実現するように構成される、請求項６６に記載の受信装置。
【請求項７２】
前記第１プロセッサは、前記第１メモリに記憶されたプログラムを実行し、シグナリングにより、前記複数のポートの参照信号が占める送信コーム数を設定するステップを実現するように構成される、請求項６６に記載の受信装置。
【請求項７３】
前記第１プロセッサは、前記第１メモリに記憶されたプログラムを実行し、前記参照信号に対応する巡回シフトパラメータに基づいて前記参照信号の送信コームインデックスを取得するステップ、または、前記参照信号の巡回シフトが位置するセグメント位置に基づいて前記参照信号の送信コームインデックスを取得するステップを実現するように構成される、請求項６１に記載の受信装置。
【請求項７４】
前記参照信号に対応する巡回シフトパラメータに基づいて前記参照信号の送信コームインデックスを取得することは、以下の少なくとも１つを含む、請求項７３に記載の受信装置。
【数７２】
2021511714.tif 000164
（ただし、
【数７３】
2021511714.tif 000165
はポートに使用される送信コームインデックスであり、ＫＴＣは参照信号の送信コーム数であり、Ｐｉは前記参照信号のポートインデックスであり、Ｎａｐは参照信号の送信ポート数であり、
【数７４】
2021511714.tif 000166
はシグナリングが設定した送信コームインデックスであり、
【数７５】
2021511714.tif 000167
は参照信号巡回シフトであり、
【数７６】
2021511714.tif 000168
は参照信号巡回シフトの最大番号または参照信号巡回シフトの使用可能な数である。）
【請求項７５】
前記参照信号の送信に使用される参照信号リソースを決定する前に、前記第１プロセッサは、更に、前記第１メモリに記憶されたプログラムを実行し、
参照信号の送信に使用される送信コームインデックスを決定することに用いられ、または前記参照信号を受信して処理する根拠として用いられる連携情報を受信するステップを実現するように構成される、請求項６１に記載の受信装置。
【請求項７６】
前記第１プロセッサは、前記第１メモリに記憶されたプログラムを実行し、
前記連携情報に基づき、前記参照信号リソースを使用して送信した参照信号を、高級受信機を用いて受信して処理するステップを実現するように構成される、請求項７５に記載の受信装置。
【請求項７７】
前記連携情報は、前記スロットオフセット値が０である場合、前記参照信号リソースが現在のスロットであることを決定することと、前記スロットオフセット値が１である場合、前記参照信号リソースが上り送信リソースを有する次のスロットであることを決定することと、または、前記スロットオフセット値が１である場合、前記参照信号リソースが現在のスロットであることを決定することと、前記スロットオフセット値が０である場合、前記参照信号リソースが上り送信リソースを有する次のスロットであることを決定することとの少なくとも１つを含む、請求項７５に記載の受信装置。
【請求項７８】
前記第１プロセッサは、更に、前記第１メモリに記憶されたプログラムを実行し、シグナリングにより、前記参照信号リソースを設定するステップを実現するように構成される、請求項６０に記載の受信装置。
【請求項７９】
前記第１プロセッサは、前記第１メモリに記憶されたプログラムを実行し、前記参照信号が非周期的参照信号またはタイプ１の参照信号である場合、シグナリングにより、前記参照信号リソースのスロットオフセットパラメータを設定するステップを実現するように構成される、請求項７８に記載の受信装置。
【請求項８０】
前記第１プロセッサは、前記第１メモリに記憶されたプログラムを実行し、前記スロットオフセット値が０である場合、前記参照信号リソースが現在のスロットであることを決定するステップと、前記スロットオフセット値が１である場合、前記参照信号リソースが上り送信リソースを有する次のスロットであることを決定するステップと、または、前記スロットオフセット値が１である場合、前記参照信号リソースが現在のスロットであることを決定するステップと、前記スロットオフセット値が０である場合、前記参照信号リソースが上り送信リソースを有する次のスロットであることを決定するステップとを実現するように構成される、請求項７９に記載の受信装置。
【請求項８１】
前記第１プロセッサは、前記第１メモリに記憶されたプログラムを実行し、シグナリングにより、その間の時間領域保護間隔がＹ個の時間領域シンボルである複数の参照信号リソースを設定するステップを実現するように構成され、Ｙの値の取り方は、
送信装置自身の能力に基づいてＹの値を決定するという方式と、
シグナリングによりＹの値を設定するという方式と、
異なるサブキャリア間隔に異なるＹの値を設定するという方式と、
の少なくとも１つを含む、請求項７８に記載の受信装置。
【請求項８２】
前記異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む、請求項８１に記載の受信装置。
【請求項８３】
前記第１プロセッサは、前記第１メモリに記憶されたプログラムを実行し、番号ｎの参照信号リソースおよび番号ｎ＋１の参照信号リソースに対応する時間領域開始シンボルの位置がそれぞれｍおよびｇであり、ｇがｍ以下である場合、前記番号ｎ＋１の参照信号リソースを次の連続または非連続のスロットにおける上りシンボルに作用するステップを実現するように構成される、請求項７８に記載の受信装置。
【請求項８４】
前記第１プロセッサは、前記第１メモリに記憶されたプログラムを実行し、シグナリングにより、番号が逓増方式で変化する複数の参照信号リソースを設定するステップを実現するように構成される、請求項７８に記載の受信装置。
【請求項８５】
前記第１プロセッサは、更に、前記第１メモリに記憶されたプログラムを実行し、前記番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用するステップを実現するように構成される、請求項８４に記載の受信装置。
【請求項８６】
前記参照信号リソースは符号領域リソースを含み、前記第１プロセッサは、前記第１メモリに記憶されたプログラムを実行し、参照信号のシーケンスグループ番号およびシーケンス番号に基づき、参照信号の送信に使用される符号領域リソースを決定するステップを実現するように構成される、請求項６０に記載の受信装置。
【請求項８７】
前記第１プロセッサは、前記第１メモリに記憶されたプログラムを実行し、前記参照信号のシーケンス番号がジャンプイネーブルに設定された場合、参照信号のシーケンスＩＤを用いて擬似ランダムシーケンスを初期化するか、または
【数７７】
2021511714.tif 000169
を用いて擬似ランダムシーケンスの初期値とするステップを実現するように構成される、請求項８６に記載の受信装置。
（ただし、
【数７８】
2021511714.tif 000170
は参照信号のシーケンスＩＤまたは仮想セルＩＤであり、ｍｏｄはモジュロ関数である。）
【請求項８８】
前記第１プロセッサは、更に、前記第１メモリに記憶されたプログラムを実行し、前記参照信号に使用される、シグナリングにより設定されるかまたは前記参照信号の送信コーム数に関連する送信電力を決定するステップを実現するように構成される、請求項６０に記載の受信装置。
【請求項８９】
前記参照信号に使用される送信電力は、上りデータまたは物理上り共用チャネルに対してＱ  ｄＢ増大させるかまたはＱ  ｄＢ低減させる送信電力を含み、
前記シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含み、
前記送信電力が前記参照信号の送信コーム数に関連することは、参照信号の送信コームインデックス数が８である場合、Ｑは９であることと、参照信号の送信コーム数が１６である場合、Ｑは１２であることとを含む、請求項８８に記載の受信装置。
【請求項９０】
第２プロセッサおよび第２メモリを備える参照信号送信装置であって、前記第２プロセッサは、前記第２メモリに記憶されたプログラムを実行し、
参照信号の送信に使用される参照信号リソースを決定するステップと、
決定した参照信号リソースで参照信号を送信するステップと、
を実現するように構成される、参照信号送信装置。
【請求項９１】
前記参照信号リソースは周波数領域リソースを含み、前記第２プロセッサは、前記第２メモリに記憶されたプログラムを実行し、前記参照信号の送信コームインデックスに基づき、前記参照信号の送信に使用される周波数領域リソースを決定するステップを実現するように構成される、請求項９０に記載の送信装置。
【請求項９２】
前記第２プロセッサは、前記第２メモリに記憶されたプログラムを実行し、
上位層無線リソース制御ＲＲＣシグナリングが設定した送信コームインデックスおよびインデックスオフセット量に基づき、前記参照信号の送信コームインデックスを決定するステップと、
前記参照信号リソース内の１つ目の時間領域シンボルにおいて参照信号リソースで設定した送信コームインデックスを使用し、残りの時間領域シンボルにおいて予め定義された参照信号の送信コームインデックスを使用することを決定するステップと、
を実現するように構成される、請求項９１に記載の送信装置。
【請求項９３】
前記第２プロセッサは、更に、前記第２メモリに記憶されたプログラムを実行し、
参照信号が位置するスロットのインデックスと、参照信号が位置するシンボルのインデックスと、参照信号または参照信号リソースが占めるシンボル数と、参照信号のシーケンスアイデンティティＩＤと、無線ネットワーク一時的識別子ＲＮＴＩと、参照信号の送信コーム数と、セル識別子ＩＤとの少なくとも１つのパラメータに基づき、前記参照信号のインデックスオフセット量を決定するステップを実現するように構成される、請求項９２に記載の送信装置。
【請求項９４】
前記第２プロセッサは、前記第２メモリに記憶されたプログラムを実行し、以下の数式に基づき、前記参照信号のインデックスオフセット量または前記予め定義された参照信号の送信コームインデックスを決定するステップを実現するように構成される、請求項９２に記載の送信装置。
【数７９】
2021511714.tif 000171
【数８０】
2021511714.tif 000172
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【数８１】
2021511714.tif 000173
は擬似ランダムシーケンスにおける番号
【数８２】
2021511714.tif 000174
に対応する数値であり、
【数８３】
2021511714.tif 000175
は擬似ランダムシーケンスにおける番号
【数８４】
2021511714.tif 000176
に対応する数値であり、
【数８５】
2021511714.tif 000177
は１つの無線フレーム内のスロット番号である。）
【請求項９５】
前記擬似ランダムシーケンスの初期値は、
【数８６】
2021511714.tif 000178
【数８７】
2021511714.tif 000179
【数８８】
2021511714.tif 000180
【数８９】
2021511714.tif 000181
【数９０】
2021511714.tif 000182
【数９１】
2021511714.tif 000183
または、
【数９２】
2021511714.tif 000184
のいずれか１つを含む、請求項９４に記載の送信装置。
（ただし、
【数９３】
2021511714.tif 000185
はセル識別子ＩＤであり、
【数９４】
2021511714.tif 000186
は参照信号のシーケンスＩＤまたは仮想セルＩＤであり、
【数９５】
2021511714.tif 000187
はラウンドダウン関数であり、Δｓｓ∈｛０，１，．．．，ＮＴＣ−１｝である。）
【請求項９６】
前記第２プロセッサは、更に、前記第２メモリに記憶されたプログラムを実行し、複数のポートの参照信号に使用される送信コームインデックスを決定するステップを実現するように構成される、請求項９１に記載の送信装置。
【請求項９７】
前記第２プロセッサは、前記第２メモリに記憶されたプログラムを実行し、Ｎａｐ個のポートの参照信号に使用されるＮ個の送信コームインデックスを決定するステップを実現するように構成され、前記ステップは、
ＮａｐがＮに等しいことと、
前記Ｎａｐ個のポートをＬ個のポートグループに分け、ＬがＮに等しい場合、Ｎ個のポートグループと前記Ｎ個の送信コームとの間に１対１の対応関係があることと、
前記Ｎａｐ個のポートを
【数９６】
2021511714.tif 000188
個のポートグループに分け、各ポートグループにおけるＮ個のポートと前記Ｎ個の送信コームとの間に１対１の対応関係があることであって、
【数９７】
2021511714.tif 000189
は切り上げ関数であることと、
の少なくとも１つを含む、請求項９６に記載の送信装置。
【請求項９８】
前記複数のポートの参照信号に使用される送信コームインデックスを決定することは、
異なるポートまたはポートグループの参照信号が異なる送信コームインデックスを使用することを予め定義することと、
ポートグループ内の異なるポートが同じ送信コームインデックスを使用することを予め定義し、ポートグループ間のポートが異なる送信コームインデックスを使用することを予め定義することと、
ポートグループ内の異なるポートが異なる送信コームインデックスを使用することを予め定義し、ポートグループ間のポートが同じ送信コームインデックスを使用することを予め定義することと、
の少なくとも１つを含む、請求項９６に記載の送信装置。
【請求項９９】
前記複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式であって、Ｌは複数のポートをグループ分けした後のグループ数である方式との少なくとも１つを含む、請求項９６に記載の送信装置。
【請求項１００】
前記ポートグループのグループ分け方法は、
ポートインデックスの逓増順序または逓減順序に基づいてグループ分けするという方法と、
ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは前記参照信号のポートインデックスであり、Ｌは複数のポートをグループ分けした後のグループ数である方法と、
の１つを含む、請求項９７〜９９のいずれか１項に記載の送信装置。
【請求項１０１】
前記第２プロセッサは、前記第２メモリに記憶されたプログラムを実行し、前記参照信号リソースが設定した送信コームインデックスがｋである場合、前記複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定するステップであって、ｍｏｄはモジュロ関数であり、Ｐｉは前記参照信号のポートインデックスであり、ＫＴＣは参照信号の送信コーム数であるステップを実現するように構成される、請求項９６に記載の送信装置。
【請求項１０２】
前記第２プロセッサは、前記第２メモリに記憶されたプログラムを実行し、シグナリングにより、前記複数のポートの参照信号が占める送信コーム数を設定するステップを実現するように構成される、請求項９６に記載の送信装置。
【請求項１０３】
前記第２プロセッサは、前記第２メモリに記憶されたプログラムを実行し、前記参照信号に対応する巡回シフトパラメータに基づいて前記参照信号の送信コームインデックスを取得するステップ、または、前記参照信号の巡回シフトが位置するセグメント位置に基づいて前記参照信号の送信コームインデックスを取得するステップを実現するように構成される、請求項９１に記載の送信装置。
【請求項１０４】
前記参照信号に対応する巡回シフトパラメータに基づいて前記参照信号の送信コームインデックスを取得することは、以下の少なくとも１つを含む、請求項１０３に記載の送信装置。
【数９８】
2021511714.tif 000190
（ただし、
【数９９】
2021511714.tif 000191
はポートに使用される送信コームインデックスであり、ＫＴＣは参照信号の送信コーム数であり、Ｐｉは前記参照信号のポートインデックスであり、Ｎａｐは参照信号の送信ポート数であり、
【数１００】
2021511714.tif 000192
はシグナリングが設定した送信コームインデックスであり、
【数１０１】
2021511714.tif 000193
は参照信号巡回シフトであり、
【数１０２】
2021511714.tif 000194
は参照信号巡回シフトの最大番号または参照信号巡回シフトの使用可能な数である。）
【請求項１０５】
前記参照信号の送信に使用される参照信号リソースを決定する前に、前記第２プロセッサは、更に、前記第２メモリに記憶されたプログラムを実行し、
参照信号の送信に使用される送信コームインデックスを決定するための連携情報を受信するステップを実現するように構成される、請求項９１に記載の送信装置。
【請求項１０６】
前記連携情報は、参照信号の送信コームインデックスを指示するための情報と、参照信号のシーケンスＩＤと、参照信号が占める時間周波数リソース情報との少なくとも１つを含む、請求項１０５に記載の送信装置。
【請求項１０７】
前記第２プロセッサは、更に、前記第２メモリに記憶されたプログラムを実行し、シグナリングにより、前記参照信号リソースを設定するステップを実現するように構成される、請求項９０に記載の送信装置。
【請求項１０８】
前記第２プロセッサは、前記第２メモリに記憶されたプログラムを実行し、前記参照信号が非周期的参照信号またはタイプ１の参照信号である場合、シグナリングにより、前記参照信号リソースのスロットオフセットパラメータを設定するステップを実現するように構成される、請求項１０７に記載の送信装置。
【請求項１０９】
前記第２プロセッサは、前記第２メモリに記憶されたプログラムを実行し、前記スロットオフセット値が０である場合、前記参照信号リソースが現在のスロットであることを決定するステップと、前記スロットオフセット値が１である場合、前記参照信号リソースが上り送信リソースを有する次のスロットであることを決定するステップと、または、前記スロットオフセット値が１である場合、前記参照信号リソースが現在のスロットであることを決定するステップと、前記スロットオフセット値が０である場合、前記参照信号リソースが上り送信リソースを有する次のスロットであることを決定するステップとを実現するように構成される、請求項１０８に記載の送信装置。
【請求項１１０】
前記第２プロセッサは、前記第２メモリに記憶されたプログラムを実行し、シグナリングにより複数の参照信号リソースを設定する場合、前記複数の参照信号リソースの間の時間領域保護間隔はＹ個の時間領域シンボルであるステップを実現するように構成され、Ｙの値の取り方は、
送信能力に基づいてＹの値を決定するという方式と、
シグナリングによりＹの値を設定するという方式と、
異なるサブキャリア間隔に異なるＹの値を設定するという方式と、
の少なくとも１つを含む、請求項１０７に記載の送信装置。
【請求項１１１】
前記異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む、請求項１１０に記載の送信装置。
【請求項１１２】
前記第２プロセッサは、前記第２メモリに記憶されたプログラムを実行し、番号ｎの参照信号リソースおよび番号ｎ＋１の参照信号リソースに対応する時間領域開始シンボルの位置がそれぞれｍおよびｇであり、ｇがｍ以下である場合、前記番号ｎ＋１の参照信号リソースを次の連続または非連続のスロットにおける上りシンボルに作用するステップを実現するように構成される、請求項１０７に記載の送信装置。
【請求項１１３】
前記第２プロセッサは、前記第２メモリに記憶されたプログラムを実行し、シグナリングにより、番号が逓増方式で変化する複数の参照信号リソースを設定するステップを実現するように構成される、請求項１０７に記載の送信装置。
【請求項１１４】
前記第２プロセッサは、更に、前記第２メモリに記憶されたプログラムを実行し、前記番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用するステップを実現するように構成される、請求項１１３に記載の送信装置。
【請求項１１５】
前記参照信号リソースは符号領域リソースを含み、前記第２プロセッサは、前記第２メモリに記憶されたプログラムを実行し、参照信号のシーケンスグループ番号およびシーケンス番号に基づき、参照信号の送信に使用される符号領域リソースを決定するステップを実現するように構成される、請求項９０に記載の送信装置。
【請求項１１６】
前記第２プロセッサは、前記第２メモリに記憶されたプログラムを実行し、前記参照信号のシーケンス番号がジャンプイネーブルに設定された場合、参照信号のシーケンスＩＤを用いて擬似ランダムシーケンスを初期化するか、または
【数１０３】
2021511714.tif 000195
を用いて擬似ランダムシーケンスの初期値とするステップを実現するように構成される、請求項１１５に記載の送信装置。
（ただし、
【数１０４】
2021511714.tif 000196
は参照信号のシーケンスＩＤまたは仮想セルＩＤであり、ｍｏｄはモジュロ関数である。）
【請求項１１７】
前記第２プロセッサは、更に、前記第２メモリに記憶されたプログラムを実行し、前記参照信号に使用される、シグナリングにより設定されるかまたは前記参照信号の送信コーム数に関連する送信電力を決定するステップを実現するように構成される、請求項９０に記載の送信装置。
【請求項１１８】
前記参照信号に使用される送信電力は、上りデータまたは物理上り共用チャネルに対してＱ  ｄＢ増大させるかまたはＱ  ｄＢ低減させる送信電力を含み、
前記シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含み、
前記送信電力が前記参照信号の送信コーム数に関連することは、参照信号の送信コームインデックス数が８である場合、Ｑは９であることと、参照信号の送信コーム数が１６である場合、Ｑは１２であることとを含む、請求項１１７に記載の送信装置。
【請求項１１９】
プロセッサにより実行されると、請求項１〜３０のいずれか１項に記載の受信方法のステップを実現するコンピュータプログラムが記憶されている、コンピュータ可読記憶媒体。
【請求項１２０】
プロセッサにより実行されると、請求項３１〜５９のいずれか１項に記載の送信方法のステップを実現するコンピュータプログラムが記憶されている、コンピュータ可読記憶媒体。
【発明の詳細な説明】
【技術分野】
【０００１】
（関連出願の相互参照）
本願は、出願番号が２０１８１００３２６９４．５であり、出願日が２０１８年０１月１２日である中国特許出願に基づいて提出され、該中国特許出願に対して優先権の利益を主張し、該中国特許出願の全ての内容を参照として本願に引用する。
【０００２】
本開示は、通信分野に関するが、これに限定されない。
【背景技術】
【０００３】
関連技術では、例えば、ロングタームイボリューション（Ｌｏｎｇ  Ｔｅｒｍ  Ｅｖｏｌｕｔｉｏｎ、ＬＴＥと略称する）技術において、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称する）は、上り・下りスケジューリング情報および上り電力制御情報を搬送することに用いられる。下り制御情報（Ｄｏｗｎｌｉｎｋ  Ｃｏｎｔｒｏｌ  Ｉｎｆｏｒｍａｔｉｏｎ、ＤＣＩと略称する）フォーマット（ｆｏｒｍａｔ）は、ＤＣＩ  ｆｏｒｍａｔ  ０、１、１Ａ、１Ｂ、１Ｃ、１Ｄ、２、２Ａ、３、３Ａ等に分けられ、ＬＴＥ−Ａ  Ｒｅｌｅａｓｅ  １２（ＬＴＥ−Ａバージョン１２）に進化した場合、異なる適用モードおよび伝送モードをサポートするために、ＤＣＩ  ｆｏｒｍａｔ  ２Ｂ、２Ｃ、２Ｄが更に追加された。第１通信ノード、例えば、基地局（ｅ−Ｎｏｄｅ−Ｂ、ｅＮＢと略称する）は、下り制御情報に基づいて第２通信ノード、例えば、ユーザ機器（Ｕｓｅｒ  Ｅｑｕｉｐｍｅｎｔ、と略称するＵＥ）を設定することができ、または、第２通信ノードは上位層（ｈｉｇｈｅｒ  ｌａｙｅｒｓ）による設定を受け、上位層シグナリングによりＵＥを設定するとも呼ばれる。
【０００４】
測定参照信号（Ｓｏｕｎｄｉｎｇ  Ｒｅｆｅｒｅｎｃｅ  Ｓｉｇｎａｌ、ＳＲＳと略称する）は、第２通信ノードと第１通信ノードとの間の無線チャネル状態情報（Ｃｈａｎｎｅｌ  Ｓｔａｔｅ  Ｉｎｆｏｒｍａｔｉｏｎ、ＣＳＩと略称する）を測定するための信号である。ＬＴＥシステムにおいて、ＵＥはｅＮＢが指示した周波数帯域、周波数領域位置、シーケンス巡回シフト、周期およびサブフレームオフセット等のパラメータに従い、送信サブフレームの最後のデータシンボルで上りＳＲＳをタイミングで送信する。ｅＮＢは、受信したＳＲＳに基づいてＵＥの上りのＣＳＩを判断し、得たＣＳＩに基づいて周波数領域選択スケジューリング、クローズループ電力制御等の操作を行う。
【０００５】
ＬＴＥ−Ａ  Ｒｅｌｅａｓｅ  １０（ＬＴＥ−Ａバージョン１０）の研究において、上り通信で、プリコーディングされていないＳＲＳ、すなわち、アンテナ固有のＳＲＳを使用すべきであり、物理上り共用チャネル（Ｐｈｙｓｉｃａｌ  Ｕｐｌｉｎｋ  Ｓｈａｒｅ  Ｃｈａｎｎｅｌ、ＰＵＳＣＨと略称する）の復調のための参照信号（Ｄｅ  Ｍｏｄｕｌａｔｉｏｎ  Ｒｅｆｅｒｅｎｃｅ  Ｓｉｇｎａｌ、ＤＭＲＳと略称する）をプリコーディングすることが提出されている。第１通信ノードは、プリコーディングされていないＳＲＳを受信することにより、上りの元のＣＳＩを推定することができるが、プリコーディングされたＤＭＲＳは、第１通信ノードに上りの元のＣＳＩを推定させることができない。この場合、ＵＥがマルチアンテナを用いてプリコーディングされていないＳＲＳを送信する場合、各ＵＥに必要なＳＲＳリソースはいずれも増加し、システム内で同時に多重化できるＵＥ数は減少する。ＵＥは、上位層シグナリング（ｔｒｉｇｇｅｒ  ｔｙｐｅ  ０によるトリガとも呼ばれる）または下り制御情報（ｔｒｉｇｇｅｒ  ｔｙｐｅ  １によるトリガとも呼ばれる）という２種類のトリガ方式によりＳＲＳを送信することができ、ここで、上位層シグナリングに基づいてトリガされるものは周期的ＳＲＳであり、下り制御情報に基づいてトリガされるものは非周期的ＳＲＳである。ＬＴＥ−Ａ  Ｒｅｌｅａｓｅ  １０において、ＳＲＳを非周期的に送信する方式が追加され、ある程度でＳＲＳリソースの利用率を改善し、リソーススケジューリングの柔軟性を向上させる。
【０００６】
通信技術の発展に伴い、データトラフィックの需要量が増加しつつあり、使用可能な低周波数キャリアも非常に稀であるため、十分に利用されていない高周波数（３０〜３００ＧＨｚ）キャリア通信に基づくことは、将来の高速データ通信を解決する重要な通信手段の１つとなる。高周波数キャリア通信の使用可能な帯域幅が広く、効果的な高速データ通信を提供することができる。しかし、高周波数キャリア通信が直面する１つの大きな技術的課題は、低周波数信号に対して高周波数信号の空間でのフェージングが非常に大きいことであり、高周波数信号の屋外での通信に空間のフェージング損失の問題が発生するが、その波長の低減により、通常、より多くのアンテナを使用することができ、ビームに基づいて通信して空間でのフェージング損失を補償することができる。
【０００７】
しかし、アンテナごとに１セットの無線周波数リンクが必要となり、アンテナ数が多くなると、デジタルビームフォーミングに基づいてコストの増加および電力損失の問題もある。そのため、現在の研究において、混合ビームフォーミング、すなわち、無線周波数ビームとデジタルビームとが共に最終的なビームを形成する傾向にある。
【０００８】
新たな無線アクセス技術（Ｎｅｗ  Ｒａｄｉｏ  Ａｃｃｅｓｓ  Ｔｅｃｈｎｏｌｏｇｙ、ＮＲと略称する）において、高周波数通信システムは、第１通信ノードに大量のアンテナを設定して下り伝送ビームを形成して高周波数通信の空間フェージングを補償するほか、ユーザの第２通信ノードにも同様に大量のアンテナを設定して上り伝送ビームを形成し、この場合、ＳＲＳの送信もビームの形態で送信する。第２通信ノードの電力が限られているため、ＳＲＳの上りカバレッジを増強するために、増強された技術でＳＲＳを送信する必要があるとともにユーザ間およびセル間の干渉を考慮する必要があるが、関連技術においては、対応する通信態様がない。
【０００９】
関連技術に存在する上記問題に対し、現在、有効な解決策は未だ見出されていない。
【発明の概要】
【発明が解決しようとする課題】
【００１０】
本開示の実施例は、上記技術的問題を解決するための参照信号受信・送信方法、装置、およびコンピュータ可読記憶媒体を提供することを目的とする。
【課題を解決するための手段】
【００１１】
本開示の実施例は、
参照信号の送信に使用される参照信号リソースを決定することと、
前記参照信号リソースで送信した参照信号を受信することと、
を含む参照信号受信方法を提供する。
【００１２】
本開示の実施例において、
参照信号の送信に使用される参照信号リソースを決定することと、
決定した参照信号リソースで参照信号を送信することと、
を含む参照信号送信方法を更に提供する。
【００１３】
本開示の実施例において、第１プロセッサおよび第１メモリを備え、前記第１プロセッサは、前記第１メモリに記憶されたプログラムを実行し、参照信号の送信に使用される参照信号リソースを決定するステップと、前記参照信号リソースで送信した参照信号を受信するステップとを実現するように構成される参照信号受信装置を更に提供する。
【００１４】
本開示の実施例において、第２プロセッサおよび第２メモリを備え、前記第２プロセッサは、前記第２メモリに記憶されたプログラムを実行し、参照信号の送信に使用される参照信号リソースを決定するステップと、決定した参照信号リソースで参照信号を送信するステップとを実現するように構成される参照信号送信装置を更に提供する。
【００１５】
本開示の実施例において、プロセッサにより実行されると、上記受信方法のステップを実現するコンピュータプログラムが記憶されている第１種のコンピュータ可読記憶媒体を提供する。
【００１６】
本開示の実施例において、プロセッサにより実行されると、上記送信方法のステップを実現するコンピュータプログラムが記憶されている第２種のコンピュータ可読記憶媒体を提供する。
【００１７】
本開示の実施例に係る参照信号受信・送信方法、装置、およびコンピュータ可読記憶媒体において、受信方法は、参照信号の送信に使用される参照信号リソースを決定することと、参照信号リソースで送信した参照信号を受信することとを含み、送信方法は、参照信号の送信に使用される参照信号リソースを決定することと、決定した参照信号リソースで参照信号を送信することとを含む。
【発明の効果】
【００１８】
上記技術形態を採用し、参照信号の送信に使用されるリソース、例えば、周波数領域リソース、符号領域リソース、またはシグナリングにより設定されたリソースを決定することにより、リソースのランダムな割り当てを実現し、ランダムに割り当てられたリソースで参照信号を送信することができ、セル間の干渉を効果的に回避することができる。
【図面の簡単な説明】
【００１９】
【図１】本開示の実施例における参照信号受信方法の実施例のフローチャートである。
【図２】本開示の実施例における参照信号送信方法の実施例のフローチャートである。
【図３】本開示の実施例における参照信号受信装置の構成の構造模式図である。
【図４】本開示の実施例における参照信号送信装置の構成の構造模式図である。
【発明を実施するための形態】
【００２０】
以下、図面および実施例を参照しながら本開示について詳細に説明する。なお、矛盾しない限り、本願に係る実施例および実施例における特徴は、互いに任意に組み合わせることができる。
【００２１】
なお、本開示の明細書、特許請求の範囲および上記図面における「第１」、「第２」、「第３」等の用語は、類似する対象を区別するためのものであり、特定の順序または優先順位を記述することに用いる必要わけではない。
【００２２】
本願の実施例の動作可能なネットワークアーキテクチャーは、第１通信ノードおよび第２通信ノードを備え、ここで、第１通信ノードと第２通信ノードとは相互作用する。
【００２３】
第１通信ノードとは、第２通信ノードの送信方式を決定して第２通信ノードにシグナリング指示を行うように構成されるノードであり、第２通信ノードとは、シグナリングを受信するように構成されるノードである。１つの実現形態において、第１通信ノードまたは第３通信ノードは、マクロセルの基地局、小セル（ｓｍａｌｌ  ｃｅｌｌ）の基地局または伝送ノード、高周波数通信システムにおける送信ノード、ＩｏＴシステムにおける送信ノード等のノードであってもよく、第２通信ノードは、ユーザ端末（ＵＥ）、携帯電話、携帯機器、自動車等の通信システムにおけるノードであってもよい。別の実現形態において、マクロセルの基地局、小セルの基地局または伝送ノード、高周波数通信システムにおける送信ノード、ＩｏＴシステムにおける送信ノード等は、第２通信ノードとしてもよく、ＵＥ等は第１通信ノードとしてもよい。
【００２４】
参照信号は、ＳＲＳであってもよいし、上り復調参照信号であってもよいし、ランダムアクセスを行う上り信号であってもよいし、下り復調参照信号であってもよいし、チャネル状態情報参照信号であってもよいし、位相トラッキング参照信号であってもよい。
【００２５】
（実施例１）
本開示の実施例において、参照信号受信方法を提供し、該方法は、第１通信ノードに適用でき、図１は、本開示の実施例における参照信号受信方法の実施例のフローチャートであり、図１に示すように、該方法は以下のステップを含む。
【００２６】
ステップ１０１において、参照信号の送信に使用される参照信号リソースを決定する。
【００２７】
ここで、第１通信ノードによりステップ１０１を実行することができる。例えば、第１通信ノードは、送信装置（例えば、第２通信ノード）が参照信号を送信するために使用する参照信号リソースを直接取得する。
【００２８】
好ましくは、参照信号リソースは、周波数領域リソースであってもよい。参照信号リソースが周波数領域リソースを含む場合、参照信号の送信コームインデックスに基づき、参照信号の送信に使用される周波数領域リソースを決定する。例えば、送信コームインデックスが０および１であり、送信コームインデックスが０であることは、参照信号が偶数のサブキャリアで伝送されることに対応し、送信コームインデックスが１であることは、参照信号が奇数のサブキャリアで伝送されることに対応する。
【００２９】
例示的には、参照信号の送信コームインデックスを決定する方式は、上位層無線リソース制御（Ｒａｄｉｏ  Ｒｅｓｏｕｒｃｅ  Ｃｏｎｔｒｏｌ、ＲＲＣと略称する）シグナリングに基づいて送信コームインデックスおよびインデックスオフセット量を設定し、参照信号の送信コームインデックスを決定するという方式と、参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、のうちの１つを含む。
【００３０】
別の好ましい送信コームインデックスを決定する方法は、受信された連携情報に基づき、参照信号の送信に使用される送信コームインデックスを決定することを含む。
【００３１】
別の好ましい送信コームインデックスを決定する方法は、複数のポートの参照信号に使用される送信コームインデックスを決定することを含む。例示的には、異なるポートまたはポートグループの参照信号が異なる送信コームインデックスを使用することを予め定義し、ポートグループ内の異なるポートが同じ送信コームインデックスを使用することを予め定義し、ポートグループ間のポートが異なる送信コームインデックスを使用することを予め定義し、ポートグループ内の異なるポートが異なる送信コームインデックスを使用することを予め定義し、ポートグループ間のポートが同じ送信コームインデックスを使用することを予め定義する。
【００３２】
好ましくは、参照信号リソースは符号領域リソースであってもよい。参照信号リソースが符号領域リソースを含む場合、参照信号のシーケンスグループ番号およびシーケンス番号に基づき、参照信号の送信に使用される符号領域リソースを決定する。
【００３３】
好ましくは、シグナリングにより、参照信号リソースを設定する。具体的には、参照信号が非周期的参照信号またはタイプ１の参照信号である場合、シグナリングにより、参照信号リソースのスロットオフセットパラメータを設定する。例えば、前記スロットオフセット値が０である場合、前記参照信号リソースが現在のスロットであることを決定し、前記スロットオフセット値が１である場合、前記参照信号リソースが上り送信リソースを有する次のスロットであることを決定し、または、前記スロットオフセット値が１である場合、前記参照信号リソースが現在のスロットであることを決定し、前記スロットオフセット値が０である場合、前記参照信号リソースが上り送信リソースを有する次のスロットであることを決定する。
【００３４】
または、シグナリングにより、複数の参照信号リソースを設定し、複数の参照信号リソースの間の時間領域保護間隔はＹ個の時間領域シンボルであり、ここで、Ｙの値の取り方は、送信装置自身の能力に基づいてＹの値を決定するという方式と、シグナリングによりＹの値を設定するという方式と、異なるサブキャリア間隔に異なるＹの値を設定するという方式との少なくとも１つを含む。
【００３５】
実際に実施する際に、参照信号に使用される送信電力を決定することもでき、送信電力はシグナリングにより設定されるか、または送信電力は参照信号の送信コーム数に関連する。
【００３６】
ステップ１０２において、第２通信ノードが該リソースで送信した参照信号を受信する。
【００３７】
ここで、第１通信ノードによりステップ１０２を実行することができる。例えば、第１通信ノードは、決定した参照信号リソースに基づいて送信装置から送信された参照信号を受信する。
【００３８】
本開示の実施例において、連携情報を受信することと、連携情報に基づいて参照信号を受信して処理することとを更に含んでもよい。例示的には、連携情報は、参照信号の送信コームインデックスを指示するための情報と、参照信号のシーケンスアイデンティティ（ＩＤ）と、参照信号が占める時間周波数リソース情報との少なくとも１つを含む。
【００３９】
更に、第１通信ノードは、第３通信ノードが送信した連携情報を受信し、第１通信ノードは、連携情報に基づき、参照信号リソースを使用して送信した参照信号を、高級受信機を用いて受信して処理する。
【００４０】
例示的には、第１通信ノードおよび第３通信ノードは一般的に基地局であり、第２通信ノードは一般的に端末であり、第１通信ノードおよび第３通信ノードは、Ｘ２インタフェース、または増強されたＸ２インタフェース、またはＸｎインタフェース、または内部インタフェースを介して連携情報を交換すると、第１通信ノードおよび第３通信ノードは、連携情報に基づいて本セルのユーザに対して効果的なリソーススケジューリングを行い、セル間の強い干渉を回避することができる。例えば、第３通信ノードの参照信号が送信コーム０および送信コーム２を占有すると、第１通信ノードは受信した連携情報を第２通信ノードに送信し、送信コーム１および送信コーム３を占有するように第２通信ノードの参照信号をスケジューリングする。
【００４１】
なお、４Ｇ技術（第４世代移動通信技術とも呼ばれる）において、送信コームインデックスと送信コームの値とは同じ概念であるが、５Ｇ技術（第５世代移動通信技術とも呼ばれる）において、送信コームインデックスと送信コームの値とをまとめて送信コームインデックスオフセット値と呼ぶため、本開示の実施例に言及される送信コームインデックス、送信コーム（ｔｒａｎｓｍｉｓｓｉｏｎ  ｃｏｍｂ）の値、および送信コームインデックスオフセット値（ｔｒａｎｓｍｉｓｓｉｏｎ  ｃｏｍｂ  ｏｆｆｓｅｔ）は同じ概念である。
【００４２】
（実施例２）
実施例１に係る方法に対応し、本開示の実施例において、参照信号送信方法を提供し、該方法は、第２通信ノードに適用でき、図２は、本発明の実施例における参照信号送信方法の実施例のフローチャートであり、図２に示すように、該方法は以下のステップを含む。
【００４３】
ステップ２０１において、参照信号の送信に使用される参照信号リソースを決定する。
【００４４】
ここで、送信装置によりステップ２０１を実行することができる。例えば、第２通信ノードは、参照信号を送信する際に使用される参照信号リソースを決定し、決定した参照信号リソースに基づいて参照信号を送信し、参照信号に使用されるリソース情報を受信装置（例えば、第１通信ノード）に送信し、受信装置がリソース情報に基づいて参照信号を受信する。
【００４５】
好ましくは、参照信号リソースは、周波数領域リソースであってもよい。参照信号リソースが周波数領域リソースを含む場合、参照信号の送信コームインデックスに基づき、参照信号の送信に使用される周波数領域リソースを決定する。
【００４６】
例示的には、参照信号の送信コームインデックスを決定する方式は、上位層ＲＲＣシグナリングに基づいて送信コームインデックスおよびインデックスオフセット量を設定し、参照信号の送信コームインデックスを決定するという方式と、参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、のうちの１つを含む。
【００４７】
別の好ましい送信コームインデックスを決定する方法は、受信された連携情報に基づき、参照信号の送信に使用される送信コームインデックスを決定することを含む。
【００４８】
別の好ましい送信コームインデックスを決定する方法は、複数のポートの参照信号に使用される送信コームインデックスを決定することを含む。例示的には、複数のポートが同じ送信コームインデックスを使用し、複数のポートが異なる送信コームインデックスを使用し、Ｌ個のポートグループが異なる送信コームインデックスを使用し、ただし、Ｌは複数のポートをグループ分けした後のグループ数である。
【００４９】
好ましくは、参照信号リソースは符号領域リソースであってもよい。参照信号リソースが符号領域リソースを含む場合、参照信号のシーケンスグループ番号およびシーケンス番号に基づき、参照信号の送信に使用される符号領域リソースを決定する。
【００５０】
好ましくは、シグナリングにより、参照信号リソースを設定する。具体的には、参照信号が非周期的参照信号またはタイプ１の参照信号である場合、シグナリングにより、参照信号リソースのスロットオフセットパラメータを設定する。例えば、スロットオフセット値が０である場合、参照信号リソースが現在のスロットであることを決定し、スロットオフセット値が１である場合、参照信号リソースが上り送信リソースを有する次のスロットであることを決定する。
【００５１】
または、シグナリングにより、複数の参照信号リソースを設定し、複数の参照信号リソースの間の時間領域保護間隔はＹ個の時間領域シンボルであり、ここで、Ｙの値の取り方は、送信装置自身の能力に基づいてＹの値を決定するという方式と、シグナリングによりＹの値を設定するという方式と、異なるサブキャリア間隔に異なるＹの値を設定するという方式との少なくとも１つを含む。
【００５２】
実際に実施する際に、参照信号に使用される送信電力を決定することもでき、送信電力はシグナリングにより設定されるか、または送信電力は参照信号の送信コーム数に関連する。
【００５３】
ステップ２０２において、決定した参照信号リソースで参照信号を送信する。
【００５４】
ここで、送信装置によりステップ２０２を実行することができる。例えば、第２通信ノードは、参照信号リソースで参照信号を受信装置に送信し、受信装置は予め決定された参照信号リソースに基づいて参照信号を受信する。
【００５５】
実際に実施する際に、第１通信ノードは、第３通信ノードが送信した連携情報を受信した後、連携情報を第２通信ノードに送信するか、または第２通信ノードは、第３通信ノードが送信した連携情報を直接受信する。
【００５６】
本開示の目的を更に具現化するために、以下、実施例１および実施例２の基に、本開示の参照信号受信・送信方法について更に例を挙げて説明する。
【００５７】
（実施例３）
参照信号リソースが周波数領域リソースを含む場合、参照信号の送信コームインデックスに基づき、参照信号の送信に使用される周波数領域リソースを決定する。
【００５８】
第１種の好ましい送信コームインデックスの決定方法において、参照信号の送信コームインデックスを決定する方式は、上位層ＲＲＣシグナリングに基づいて送信コームインデックスおよびインデックスオフセット量を設定し、参照信号の送信コームインデックスを決定するという方式と、参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、のうちの１つを含む。
【００５９】
更に、参照信号が位置するスロットのインデックスと、参照信号が位置するシンボルのインデックスと、参照信号または参照信号リソースが占めるシンボル数と、参照信号のシーケンスＩＤと、無線ネットワーク一時的識別子（Ｒａｄｉｏ  Ｎｅｔｗｏｒｋ  Ｔｅｍｐｏｒｙ  Ｉｄｅｎｔｉｔｙ、と略称するＲＮＴＩ）と、参照信号の送信コーム数と、セルＩＤとの少なくとも１つのパラメータに基づき、参照信号のインデックスオフセット量を決定することができる。ここで、ＲＮＴＩは、具体的に、第２通信ノードのＲＮＴＩである。
【００６０】
更に、参照信号のインデックスオフセット量または予め定義された参照信号の送信コームインデックスは、以下の数式に基づいて決定される。
【００６１】
【数１】
2021511714.tif 000003
【００６２】
【数２】
2021511714.tif 000004
【００６３】
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【００６４】
【数３】
2021511714.tif 000005
【００６５】
は擬似ランダムシーケンスにおける番号
【００６６】
【数４】
2021511714.tif 000006
【００６７】
に対応する数値であり、
【００６８】
【数５】
2021511714.tif 000007
【００６９】
は擬似ランダムシーケンスにおける番号
【００７０】
【数６】
2021511714.tif 000008
【００７１】
に対応する数値であり、
【００７２】
【数７】
2021511714.tif 000009
【００７３】
は１つの無線フレーム内のスロット番号である。ここで、Ｍは、具体的に、第１通信ノードが設定した参照信号シンボル数または予め定義されたある整数である。）
【００７４】
具体的には、インデックスオフセット量は、以下の数式に基づいて決定されてもよい。
【００７５】
【数８】
2021511714.tif 000010
（式１）
【００７６】
【数９】
2021511714.tif 000011
（式２）
【００７７】
（ただし、
【００７８】
【数１０】
2021511714.tif 000012
【００７９】
および
【００８０】
【数１１】
2021511714.tif 000013
【００８１】
は、求められるインデックスオフセット量である。）
【００８２】
例示的には、Ｋの値が８である場合、
上記式（１）は、
【００８３】
【数１２】
2021511714.tif 000014
【００８４】
に変換され、
上記式（２）は、
【００８５】
【数１３】
2021511714.tif 000015
【００８６】
に変換される。
【００８７】
好ましくは、Ｋの値が８である場合、予め定義された参照信号の送信コームインデックスは、以下の数式に基づいて決定できる。
【００８８】
【数１４】
2021511714.tif 000016
（式３）
【００８９】
【数１５】
2021511714.tif 000017
（式４）
【００９０】
好ましくは、Ｍを
【００９１】
【数１６】
2021511714.tif 000018
【００９２】
に置き換え、
【００９３】
【数１７】
2021511714.tif 000019
【００９４】
が参照信号リソース内の時間領域シンボル数であると、上記式（２）は、
【００９５】
【数１８】
2021511714.tif 000020
【００９６】
に変換することができ、
上記式（４）は、
【００９７】
【数１９】
2021511714.tif 000021
【００９８】
に変換することができる。
【００９９】
例示的には、上記数式におけるＭの値が１４である場合、ｌ’∈｛０，１，．．．，１３｝であり、０〜１３は参照信号リソース内の時間領域シンボル番号または予め定義された番号である。
【０１００】
例示的には、擬似ランダムシーケンスの初期値は、
【０１０１】
【数２０】
2021511714.tif 000022
【０１０２】
【数２１】
2021511714.tif 000023
【０１０３】
【数２２】
2021511714.tif 000024
【０１０４】
【数２３】
2021511714.tif 000025
【０１０５】
【数２４】
2021511714.tif 000026
【０１０６】
【数２５】
2021511714.tif 000027
【０１０７】
または、
【０１０８】
【数２６】
2021511714.tif 000028
【０１０９】
のいずれか１つを含む。
（ただし、
【０１１０】
【数２７】
2021511714.tif 000029
【０１１１】
はセル識別子ＩＤであり、
【０１１２】
【数２８】
2021511714.tif 000030
【０１１３】
は参照信号のシーケンスＩＤまたは仮想セルＩＤであり、
【０１１４】
【数２９】
2021511714.tif 000031
【０１１５】
はラウンドダウン関数であり、Δｓｓ∈｛０，１，．．．，ＮＴＣ−１｝である。）
【０１１６】
第２種の好ましい送信コームインデックスの決定方法において、複数のポートの参照信号に使用される送信コームインデックスを決定する。
【０１１７】
更に、複数のポートの参照信号に使用される送信コームインデックスを決定することは、異なるポートまたはポートグループの参照信号が異なる送信コームインデックスを使用することを予め定義することと、ポートグループ内の異なるポートが同じ送信コームインデックスを使用することを予め定義し、ポートグループ間のポートが異なる送信コームインデックスを使用することを予め定義することと、ポートグループ内の異なるポートが異なる送信コームインデックスを使用することを予め定義し、ポートグループ間のポートが同じ送信コームインデックスを使用することを予め定義することとの少なくとも１つを含む。
【０１１８】
更に、複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式との少なくとも１つを含む。本開示の実施例において、Ｌは複数のポートをグループ分けした後のグループ数である。
【０１１９】
例示的には、ポートグループのグループ分け方法は、ポートインデックスの逓増順序または逓減順序に基づいてグループ分けするという方法と、ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは参照信号のポートインデックスでありである方法との１つを含む。例えば、ポートインデックスの逓増順序は、０、１、２〜７を含み、ポートインデックス０〜３を１グループとし、ポートインデックス４〜７を１グループとする。
【０１２０】
更に、シグナリングにより、複数のポートの参照信号が占める送信コーム数を設定する。
【０１２１】
更に、参照信号リソースが設定した送信コームインデックスがｋである場合、複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定し、ただし、ｍｏｄはモジュロ関数であり、Ｐｉは参照信号のポートインデックスであり、ＫＴＣは参照信号の送信コーム数である。
【０１２２】
例示的には、ポート数は１〜１２８のいずれかであってもよい。例えば、４つのポートの参照信号に使用される送信コームインデックスを決定し、ｋが２で、ＫＴＣが８であることを例とし、上記規則により、複数のポートのうちの予め定義された１つのポートに使用される送信コームインデックスがｋであり、残りのポートの参照信号に使用される送信コームのインデックスがｍｏｄ（Ｐｉ＋ｋ＋ＫＴＣ／２，ＫＴＣ）であり、ただし、ポート０は予め定義された１つのポートであるという規則を採用すると仮定すると、参照信号のポート０が送信コーム２を占有し、ポート１が送信コームｍｏｄ（１＋２＋４，８）＝７を占有し、ポート２が送信コームｍｏｄ（２＋２＋４，８）＝０を占有し、ポート３が送信コームｍｏｄ（３＋２＋４，８）＝１を占有することを決定することができる。
【０１２３】
更に、参照信号に対応する巡回シフトパラメータに基づいて参照信号の送信コームインデックスを取得するか、または、参照信号の巡回シフトが位置するセグメント位置に基づいて前記参照信号の送信コームインデックスを取得する。具体的には、参照信号に対応する巡回シフトパラメータに基づいて前記参照信号の送信コームインデックスを取得することは、以下の少なくとも１つを含む。
【０１２４】
【数３０】
2021511714.tif 000032
【０１２５】
（ただし、
【０１２６】
【数３１】
2021511714.tif 000033
【０１２７】
はポートに使用される送信コームインデックスであり、ＫＴＣは参照信号の送信コーム数であり、Ｐｉは参照信号のポートインデックスであり、Ｎａｐは参照信号の送信ポート数であり、
【０１２８】
【数３２】
2021511714.tif 000034
【０１２９】
はシグナリングが設定した送信コームインデックスであり、
【０１３０】
【数３３】
2021511714.tif 000035
【０１３１】
は参照信号巡回シフトであり、
【０１３２】
【数３４】
2021511714.tif 000036
【０１３３】
は参照信号巡回シフトの最大番号または参照信号巡回シフトの使用可能な数である。）
【０１３４】
更に、参照信号の巡回シフトが位置するセグメント化方式は、参照信号が占有する送信コームの異なるモードの個数に基づき、前記参照信号の使用可能な巡回シフトをセグメント化するという方式と、４アンテナには３種のモードがあり、第１種のモードは、４アンテナが同じ送信コームを占有するものであり、第２種は、４アンテナが異なる送信コームを占有するものであり、第３種は、４アンテナをグループ分けし、各グループが異なる送信コームを占有し、グループ内が同じ送信コームを占有し、グループ間が異なる送信コームを占有するものであるという方式とを含んでもよい。
【０１３５】
更に、Ｎａｐ個のポートの参照信号に使用されるＮ個の送信コームインデックスを決定することは、
ＮａｐがＮに等しいことと、Ｎａｐ個のポートをＬ個のポートグループに分け、ＬがＮに等しい場合、Ｎ個のポートグループとＮ個の送信コームとの間に１対１の対応関係があることと、Ｎａｐ個のポートを
【０１３６】
【数３５】
2021511714.tif 000037
【０１３７】
個のポートグループに分け、各ポートグループにおけるＮ個のポートとＮ個の送信コームとの間に１対１の対応関係があり、具体的には、Ｎ個のポートを含むポートグループにおける各ポートとＮ個の送信コームとの間が１対１で対応することとの少なくとも１つを含む。ＮはＮａｐ以下の整数を取る。ここで、
【０１３８】
【数３６】
2021511714.tif 000038
【０１３９】
は切り上げ関数である。
【０１４０】
本開示の実施例において、第２通信ノードは、送信した参照信号が占有する送信コームをランダム化することにより、第２通信ノードが連続する複数の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称する）シンボルで隣接セルに強い干渉を与えることを回避でき、セル間の干渉をランダム化する役割を果たす。
【０１４１】
（実施例４）
参照信号リソースが符号領域リソースを含む場合、参照信号のシーケンスグループ番号およびシーケンス番号に基づき、参照信号の送信に使用される符号領域リソースを決定する。
【０１４２】
更に、参照信号のシーケンス番号がジャンプイネーブルに設定された場合、参照信号のシーケンスＩＤを用いて擬似ランダムシーケンスを初期化するか、または、
【０１４３】
【数３７】
2021511714.tif 000039
【０１４４】
を用いて擬似ランダムシーケンスの初期値とする。
（ただし、
【０１４５】
【数３８】
2021511714.tif 000040
【０１４６】
は参照信号のシーケンスＩＤまたは仮想セルＩＤであり、ｍｏｄはモジュロ関数である。）
【０１４７】
（実施例５）
シグナリングにより、参照信号リソースを設定する。
【０１４８】
第１種の好ましい設定方法は、参照信号が非周期的参照信号またはタイプ１の参照信号である場合、シグナリングにより、参照信号リソースのスロットオフセットパラメータを設定する。例示的には、スロットオフセット値が０である場合、現在のスロットで参照信号を送信することを表し、スロットオフセット値が１である場合、上り送信リソースを有する次のスロットで参照信号を送信することを表す。
【０１４９】
第２種の好ましい設定方法は、シグナリングにより、複数の参照信号リソースを設定し、複数の参照信号リソースの間の時間領域保護間隔はＹ個の時間領域シンボルであることである。例示的には、Ｙの値の取り方は、送信装置自身の能力に基づいてＹの値を決定するという方式と、シグナリングによりＹの値を設定するという方式と、異なるサブキャリア間隔に異なるＹの値を設定するという方式との少なくとも１つを含む。
【０１５０】
好ましくは、異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む。
【０１５１】
第３種の好ましい設定方法は、シグナリングにより、番号が逓増方式で変化する複数の参照信号リソースを設定することである。例示的には、番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用する。
【０１５２】
（実施例６）
決定された参照信号リソースで送信した参照信号を受信する。
【０１５３】
好ましくは、第１通信ノードは、第３通信ノードが送信した連携情報を受信し、連携情報に基づき、参照信号リソースを使用して送信した参照信号を、高級受信機を用いて受信して処理する。例示的には、連携情報は、参照信号の送信コームインデックスを指示するための情報と、参照信号のシーケンスＩＤと、参照信号が占める時間周波数リソース情報とを含む。高級受信機は、最尤受信機、干渉除去受信機、および最小平均二乗誤差受信機の少なくとも１つを含む。
【０１５４】
例えば、高級受信機が干渉除去受信機である場合、第１通信ノードは、まず、受信した総信号Ｃにおいて、連携情報に基づいて第３通信ノードが位置するセルからの信号Ｂを復調し、その後、Ｃ−Ｂにより、本セルのターゲット信号を取得する。
【０１５５】
（実施例７）
参照信号に使用される送信電力を決定し、送信電力はシグナリングにより設定されるか、または送信電力は参照信号の送信コーム数に関連する。
【０１５６】
更に、参照信号に使用される送信電力は、上りデータまたは物理上り共用チャネルに対してＱ  ｄＢ増加させるかまたはＱ  ｄＢ低減させる送信電力を含む。
【０１５７】
シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含む。
【０１５８】
送信電力が参照信号の送信コーム数に関連することは、参照信号の送信コームインデックス数が８である場合、Ｑは９であることと、参照信号の送信コーム数が１６である場合、Ｑは１２であることと、参照信号の送信コーム数が４である場合、Ｑは６であることと、参照信号の送信コーム数が２である場合、Ｑは３であることとを含む。
【０１５９】
（実施例８）
シグナリングにより、複数の参照信号リソースを設定することは、第１通信ノードがシグナリングにより、第２通信ノードに複数の参照信号リソースを設定し、番号ｎの参照信号リソースおよび番号ｎ＋１の参照信号リソースに対応する時間領域開始シンボルの位置がそれぞれｍおよびｇであり、ｇがｍ以下である場合、番号ｎ＋１の参照信号リソースを次の連続または非連続のスロットにおける上りシンボルに作用することを含む。
【０１６０】
例えば、４つの参照信号リソースを設定し、参照信号リソース０、参照信号リソース１、参照信号リソース２、参照信号リソース３と記し、この４つの参照信号リソースにおける参照信号ポートはそれぞれ０、１、２、３であり、この４つの参照信号リソースに対応する時間領域開始シンボルの位置はそれぞれ８、１０、１２、８またはそれぞれ８、１０、１２、９であれば、第２通信ノードは、参照信号リソース０、参照信号リソース１、参照信号リソース２を現在のスロットに作用し、参照信号リソース３を次の連続または非連続のスロットにおける上りシンボルに作用する。または、次の連続するスロットが上りシンボルリソースを含まなければ、第２通信ノードは参照信号リソース３を使用しない。
【０１６１】
上記方式により、第２通信ノードがアンテナ切り替えを用いて参照信号を送信する機能を実現することができる。
【０１６２】
または、上記参照信号リソースの設定または使用方式は、アンテナ切り替えを用いて参照信号を送信する場合のみに使用される。
【０１６３】
ここで、上記設定送信方式は、非周期的参照信号の送信に限定され、または非周期的参照信号、半持続的参照信号、周期的参照信号に適用される。
【０１６４】
（実施例９）
本開示の実施例の受信方法と同一の発明概念に基づき、本開示の実施例は、参照信号受信装置を更に提供し、図３は、本開示の実施例における参照信号受信装置の構成の構造模式図であり、受信装置は第１通信ノードに適用でき、図３に示すように、該受信装置３０は第１プロセッサ３０１および第１メモリ３０２を備える。
【０１６５】
第１プロセッサ３０１は、第１メモリ３０２に記憶されたプログラムを実行し、
参照信号の送信に使用される参照信号リソースを決定するステップと、
参照信号リソースで送信した参照信号を受信するステップと、
を実現するように構成される。
【０１６６】
実際に実施する際に、第１プロセッサ３０１は、具体的に、第１メモリ３０２に記憶されたプログラムを実行し、参照信号リソースが周波数領域リソースを含む場合、参照信号の送信コームインデックスに基づき、参照信号の送信に使用される周波数領域リソースを決定するステップを実現するように構成される。
【０１６７】
実際に実施する際に、第１プロセッサ３０１は、具体的に、第１メモリ３０２に記憶されたプログラムを実現し、
上位層ＲＲＣシグナリングが設定した送信コームインデックスおよびインデックスオフセット量に基づき、参照信号の送信コームインデックスを決定するステップと、
参照信号リソース内の１つ目の時間領域シンボルにおいて参照信号リソースで設定した送信コームインデックスを使用し、残りの時間領域シンボルにおいて予め定義された参照信号の送信コームインデックスを使用することを決定するステップと、
を実現するように構成される。
【０１６８】
実際に実施する際に、第１プロセッサ３０１は、更に、第１メモリ３０２に記憶されたプログラムを実行し、
参照信号が位置するスロットのインデックスと、参照信号が位置するシンボルのインデックスと、参照信号または参照信号リソースが占めるシンボル数と、参照信号のシーケンスＩＤと、ＲＮＴＩと、参照信号の送信コーム数と、セルＩＤとの少なくとも１つのパラメータに基づき、参照信号のインデックスオフセット量を決定するステップを実現するように構成される。
【０１６９】
実際に実施する際に、第１プロセッサ３０１は、具体的に、第１メモリ３０２に記憶されたプログラムを実行し、以下の数式に基づいて参照信号のインデックスオフセット量または予め定義された参照信号の送信コームインデックスを決定するステップを実現するように構成される。
【０１７０】
【数３９】
2021511714.tif 000041
【０１７１】
【数４０】
2021511714.tif 000042
【０１７２】
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【０１７３】
【数４１】
2021511714.tif 000043
【０１７４】
は擬似ランダムシーケンスにおける番号
【０１７５】
【数４２】
2021511714.tif 000044
【０１７６】
に対応する数値であり、
【０１７７】
【数４３】
2021511714.tif 000045
【０１７８】
は擬似ランダムシーケンスにおける番号
【０１７９】
【数４４】
2021511714.tif 000046
【０１８０】
に対応する数値であり、
【０１８１】
【数４５】
2021511714.tif 000047
【０１８２】
は１つの無線フレーム内のスロット番号である。）
【０１８３】
実際に実施する際に、擬似ランダムシーケンスの初期値は、
【０１８４】
【数４６】
2021511714.tif 000048
【０１８５】
【数４７】
2021511714.tif 000049
【０１８６】
【数４８】
2021511714.tif 000050
【０１８７】
【数４９】
2021511714.tif 000051
【０１８８】
【数５０】
2021511714.tif 000052
【０１８９】
【数５１】
2021511714.tif 000053
【０１９０】
または、
【０１９１】
【数５２】
2021511714.tif 000054
【０１９２】
のいずれか１つを含む。
（ただし、
【０１９３】
【数５３】
2021511714.tif 000055
【０１９４】
はセル識別子ＩＤであり、
【０１９５】
【数５４】
2021511714.tif 000056
【０１９６】
は参照信号のシーケンスＩＤまたは仮想セルＩＤであり、
【０１９７】
【数５５】
2021511714.tif 000057
【０１９８】
はラウンドダウン関数であり、Δｓｓ∈｛０，１，．．．，ＮＴＣ−１｝である。）
【０１９９】
実際に実施する際に、第１プロセッサ３０１は、更に、第１メモリ３０２に記憶されたプログラムを実行し、複数のポートの参照信号に使用される送信コームインデックスを決定するステップを実現するように構成される。
【０２００】
実際に実施する際に、第１プロセッサ３０１は、具体的に、第１メモリ３０２に記憶されたプログラムを実行し、Ｎａｐ個のポートの参照信号に使用されるＮ個の送信コームインデックスを決定するステップを実現するように構成され、前記ステップは、
ＮａｐがＮに等しいことと、
Ｎａｐ個のポートをＬ個のポートグループに分け、ＬがＮに等しい場合、Ｎ個のポートグループとＮ個の送信コームとの間に１対１の対応関係があることと、
Ｎａｐ個のポートを
【０２０１】
【数５６】
2021511714.tif 000058
【０２０２】
個のポートグループに分け、各ポートグループにおけるＮ個のポートとＮ個の送信コームとの間に１対１の対応関係があることであって、
【０２０３】
【数５７】
2021511714.tif 000059
【０２０４】
は切り上げ関数であることと、
の少なくとも１つを含む。
【０２０５】
実際に実施する際に、複数のポートの参照信号に使用される送信コームインデックスを決定することは、
異なるポートまたはポートグループの参照信号が異なる送信コームインデックスを使用することを予め定義することと、
ポートグループ内の異なるポートが同じ送信コームインデックスを使用することを予め定義し、ポートグループ間のポートが異なる送信コームインデックスを使用することを予め定義することと、
ポートグループ内の異なるポートが異なる送信コームインデックスを使用することを予め定義し、ポートグループ間のポートが同じ送信コームインデックスを使用することを予め定義することと、
の少なくとも１つを含む。
【０２０６】
実際に実施する際に、複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式であって、Ｌは複数のポートをグループ分けした後のグループ数である方式との少なくとも１つを含む。
【０２０７】
実際に実施する際に、ポートグループのグループ分け方法は、
ポートインデックスの逓増順序または逓減順序に基づいてグループ分けするという方法と、
ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは参照信号のポートインデックスであり、Ｌは複数のポートをグループ分けした後のグループ数である方法と、
の１つを含む。
【０２０８】
実際に実施する際に、第１プロセッサ３０１は、具体的に、第１メモリ３０２に記憶されたプログラムを実行し、参照信号リソースが設定した送信コームインデックスがｋである場合、複数のポートのうちの予め定義された１つのまたは複数のポートの参照信号に使用される送信コームインデックスがｋ、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定するステップであって、ｍｏｄはモジュロ関数であり、Ｐｉは参照信号のポートインデックスであり、ＫＴＣは参照信号の送信コーム数であるステップを実現するように構成される。
【０２０９】
実際に実施する際に、第１プロセッサ３０１は、具体的に、第１メモリ３０２に記憶されたプログラムを実行し、シグナリングにより、複数のポートの参照信号が占める送信コーム数を設定するステップを実現するように構成される。
【０２１０】
実際に実施する際に、第１プロセッサ３０１は、具体的に、第１メモリ３０２に記憶されたプログラムを実行し、参照信号に対応する巡回シフトパラメータに基づいて参照信号の送信コームインデックスを取得するステップを実現するように構成される。
【０２１１】
実際に実施する際に、参照信号に対応する巡回シフトパラメータに基づいて参照信号の送信コームインデックスを取得することは、以下の少なくとも１つを含む。
【０２１２】
【数５８】
2021511714.tif 000060
【０２１３】
（ただし、
【０２１４】
【数５９】
2021511714.tif 000061
【０２１５】
はポートに使用される送信コームインデックスであり、ＫＴＣは参照信号の送信コーム数であり、Ｐｉは参照信号のポートインデックスであり、Ｎａｐは参照信号の送信ポート数であり、
【０２１６】
【数６０】
2021511714.tif 000062
【０２１７】
はシグナリングが設定した送信コームインデックスであり、
【０２１８】
【数６１】
2021511714.tif 000063
【０２１９】
は参照信号巡回シフトであり、
【０２２０】
【数６２】
2021511714.tif 000064
【０２２１】
は参照信号巡回シフトの最大番号または参照信号巡回シフトの使用可能な数である。）
【０２２２】
実際に実施する際に、参照信号の送信に使用される参照信号リソースを決定する前に、第１プロセッサ３０１は、更に、第１メモリ３０２に記憶されたプログラムを実行し、
参照信号の送信に使用される送信コームインデックスを決定することに用いら、または参照信号を受信して処理する根拠として用いられる連携情報を受信するステップを実現するように構成される。
【０２２３】
実際に実施する際に、第１プロセッサ３０１は、具体的に、第１メモリ３０２に記憶されたプログラムを実行し、
連携情報に基づき、参照信号リソースを使用して送信した参照信号を、高級受信機を用いて受信して処理するステップを実現するように構成される。
【０２２４】
実際に実施する際に、連携情報は、参照信号の送信コームインデックスを指示するための情報と、参照信号のシーケンスＩＤと、参照信号が占める時間周波数リソース情報との少なくとも１つを含み、または、スロットオフセット値が１である場合、参照信号リソースが現在のスロットであることを決定し、スロットオフセット値が０である場合、参照信号リソースが上り送信リソースを有する次のスロットであることを決定する。
【０２２５】
実際に実施する際に、第１プロセッサ３０１は、更に、第１メモリ３０２に記憶されたプログラムを実行し、シグナリングにより、参照信号リソースを設定するステップを実現するように構成される。
【０２２６】
実際に実施する際に、第１プロセッサ３０１は、具体的に、第１メモリ３０２に記憶されたプログラムを実行し、参照信号が非周期的参照信号またはタイプ１の参照信号である場合、シグナリングにより、参照信号リソースのスロットオフセットパラメータを設定するステップを実現するように構成される。
【０２２７】
実際に実施する際に、第１プロセッサ３０１は、具体的に、第１メモリ３０２に記憶されたプログラムを実行し、前記スロットオフセット値が０である場合、前記参照信号リソースが現在のスロットであることを決定するステップと、前記スロットオフセット値が１である場合、前記参照信号リソースが上り送信リソースを有する次のスロットであることを決定するステップと、または、前記スロットオフセット値が１である場合、前記参照信号リソースが現在のスロットであることを決定するステップと、前記スロットオフセット値が０である場合、前記参照信号リソースが上り送信リソースを有する次のスロットであることを決定するステップとを実現するように構成される。
【０２２８】
実際に実施する際に、第１プロセッサ３０１は、具体的に、第１メモリ３０２に記憶されたプログラムを実行し、シグナリングにより、その間の時間領域保護間隔がＹ個の時間領域シンボルである複数の参照信号リソースを設定するステップを実現するように構成され、ここで、Ｙの値の取り方は、
送信装置自身の能力に基づいてＹの値を決定するという方式と、
シグナリングによりＹの値を設定するという方式と、
異なるサブキャリア間隔に異なるＹの値を設定するという方式と、
の少なくとも１つを含む。
【０２２９】
実際に実施する際に、異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む。
【０２３０】
実際に実施する際に、第１プロセッサ３０１は、具体的に、第１メモリ３０２に記憶されたプログラムを実行し、番号ｎの参照信号リソースおよび番号ｎ＋１の参照信号リソースに対応する時間領域開始シンボルの位置がそれぞれｍおよびｇであり、ｇがｍ以下である場合、番号ｎ＋１の参照信号リソースを次の連続または非連続のスロットにおける上りシンボルに作用するステップを実現するように構成される。
【０２３１】
実際に実施する際に、第１プロセッサ３０１は、具体的に、第１メモリ３０２に記憶されたプログラムを実行し、シグナリングにより、番号が逓増方式で変化する複数の参照信号リソースを設定するステップを実現するように構成される。
【０２３２】
実際に実施する際に、第１プロセッサ３０１は、更に、第１メモリ３０２に記憶されたプログラムを実行し、番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用するステップを実現するように構成される。
【０２３３】
実際に実施する際に、第１プロセッサ３０１は、具体的に、第１メモリ３０２に記憶されたプログラムを実行し、参照信号リソースが符号領域リソースを含む場合、参照信号のシーケンスグループ番号およびシーケンス番号に基づき、参照信号の送信に使用される符号領域リソースを決定するステップを実現するように構成される。
【０２３４】
実際に実施する際に、第１プロセッサ３０１は、具体的に、第１メモリ３０２に記憶されたプログラムを実行し、参照信号のシーケンス番号がジャンプイネーブルに設定された場合、参照信号のシーケンスＩＤを用いて擬似ランダムシーケンスを初期化するか、または、
【０２３５】
【数６３】
2021511714.tif 000065
【０２３６】
を用いて擬似ランダムシーケンスの初期値とするステップを実現するように構成される。
（ただし、
【０２３７】
【数６４】
2021511714.tif 000066
【０２３８】
は参照信号のシーケンスＩＤまたは仮想セルＩＤであり、ｍｏｄはモジュロ関数である。）
【０２３９】
実際に実施する際に、第１プロセッサ３０１は、更に、第１メモリ３０２に記憶されたプログラムを実行し、参照信号に使用される、シグナリングにより設定されるかまたは参照信号の送信コーム数に関連する送信電力を決定するステップを実現するように構成される。
【０２４０】
実際に実施する際に、参照信号に使用される送信電力は、上りデータまたは物理上り共用チャネルに対してＱ  ｄＢ増大させるかまたはＱ  ｄＢ低減させる送信電力を含む。
【０２４１】
シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含む。
【０２４２】
送信電力が参照信号の送信コーム数に関連することは、参照信号の送信コームインデックス数が８である場合、Ｑは９であることと、参照信号の送信コーム数が１６である場合、Ｑは１２であることとを含む。
【０２４３】
（実施例１０）
本開示の実施例の送信方法と同一の発明概念に基づき、本開示の実施例は、参照信号送信装置を更に提供し、図４は、本開示の実施例における参照信号送信装置の構成の構造模式図であり、図４に示すように、該送信装置４０は第２プロセッサ４０１および第２メモリ４０２を備える。
【０２４４】
第２プロセッサ４０１は、第２メモリ４０２に記憶されたプログラムを実行し、
参照信号の送信に使用される参照信号リソースを決定するステップと、
決定した参照信号リソースで参照信号を送信するステップと、
を実現するように構成される。
【０２４５】
実際に実施する際に、第２プロセッサ４０１は、具体的に、第２メモリ４０１２に記憶されたプログラムを実行し、参照信号リソースが周波数領域リソースを含む場合、参照信号の送信コームインデックスに基づき、参照信号の送信に使用される周波数領域リソースを決定するステップを実現するように構成される。
【０２４６】
実際に実施する際に、第２プロセッサ４０１は、具体的に、第２メモリ４０２に記憶されたプログラムを実行し、
上位層ＲＲＣシグナリングが設定した送信コームインデックスおよびインデックスオフセット量に基づき、参照信号の送信コームインデックスを決定するステップと、
参照信号リソース内の１つ目の時間領域シンボルにおいて参照信号リソースで設定した送信コームインデックスを使用し、残りの時間領域シンボルにおいて予め定義された参照信号の送信コームインデックスを使用することを決定するステップと、
を実現するように構成される。
【０２４７】
実際に実施する際に、第２プロセッサ４０１は、更に、第２メモリ４０２に記憶されたプログラムを実行し、
参照信号が位置するスロットのインデックスと、参照信号が位置するシンボルのインデックスと、参照信号または参照信号リソースが占めるシンボル数と、参照信号のシーケンスＩＤと、ＲＮＴＩと、参照信号の送信とコーム数、セルＩＤとの少なくとも１つのパラメータに基づき、参照信号のインデックスオフセット量を決定するステップを実現するように構成される。
【０２４８】
実際に実施する際に、第２プロセッサ４０１は、具体的に、第２メモリ４０２に記憶されたプログラムを実行し、以下の数式に基づいて参照信号のインデックスオフセット量または予め定義された参照信号の送信コームインデックスを決定するステップを実現するように構成される。
【０２４９】
【数６５】
2021511714.tif 000067
【０２５０】
【数６６】
2021511714.tif 000068
【０２５１】
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【０２５２】
【数６７】
2021511714.tif 000069
【０２５３】
は擬似ランダムシーケンスにおける番号
【０２５４】
【数６８】
2021511714.tif 000070
【０２５５】
に対応する数値であり、
【０２５６】
【数６９】
2021511714.tif 000071
【０２５７】
は擬似ランダムシーケンスにおける番号
【０２５８】
【数７０】
2021511714.tif 000072
【０２５９】
に対応する数値であり、
【０２６０】
【数７１】
2021511714.tif 000073
【０２６１】
は１つの無線フレーム内のスロット番号である。）
【０２６２】
実際に実施する際に、擬似ランダムシーケンスの初期値は、
【０２６３】
【数７２】
2021511714.tif 000074
【０２６４】
【数７３】
2021511714.tif 000075
【０２６５】
【数７４】
2021511714.tif 000076
【０２６６】
【数７５】
2021511714.tif 000077
【０２６７】
【数７６】
2021511714.tif 000078
【０２６８】
【数７７】
2021511714.tif 000079
【０２６９】
または、
【０２７０】
【数７８】
2021511714.tif 000080
【０２７１】
のいずれか１つを含む。
（ただし、
【０２７２】
【数７９】
2021511714.tif 000081
【０２７３】
はセル識別子ＩＤであり、
【０２７４】
【数８０】
2021511714.tif 000082
【０２７５】
は参照信号のシーケンスＩＤまたは仮想セルＩＤであり、
【０２７６】
【数８１】
2021511714.tif 000083
【０２７７】
はラウンドダウン関数であり、Δｓｓ∈｛０，１，．．．，ＮＴＣ−１｝である。）
【０２７８】
実際に実施する際に、第２プロセッサ４０１は、更に、第２メモリ４０２に記憶されたプログラムを実行し、複数のポートの参照信号に使用される送信コームインデックスを決定するステップを実現するように構成される。
【０２７９】
実際に実施する際に、第２プロセッサ４０１は、具体的に、第２メモリ４０２に記憶されたプログラムを実行し、Ｎａｐ個のポートの参照信号に使用されるＮ個の送信コームインデックスを決定するステップを実現するように構成され、前記ステップは、
ＮａｐがＮに等しいことと、
Ｎａｐ個のポートをＬ個のポートグループに分け、ＬがＮに等しい場合、Ｎ個のポートグループとＮ個の送信コームとの間に１対１の対応関係があることと、
Ｎａｐ個のポートを
【０２８０】
【数８２】
2021511714.tif 000084
【０２８１】
個のポートグループに分け、各ポートグループにおけるＮ個のポートとＮ個の送信コームとの間に１対１の対応関係があることであって、
【０２８２】
【数８３】
2021511714.tif 000085
【０２８３】
は切り上げ関数であることと、
少なくとも１つを含む。
【０２８４】
実際に実施する際に、複数のポートの参照信号に使用される送信コームインデックスを決定することは、
異なるポートまたはポートグループの参照信号が異なる送信コームインデックスを使用することを予め定義することと、
ポートグループ内の異なるポートが同じ送信コームインデックスを使用することを予め定義し、ポートグループ間のポートが異なる送信コームインデックスを使用することを予め定義することと、
ポートグループ内の異なるポートが異なる送信コームインデックスを使用することを予め定義し、ポートグループ間のポートが同じ送信コームインデックスを使用することを予め定義することと、
の少なくとも１つを含む。
【０２８５】
実際に実施する際に、複数のポートの参照信号に使用される送信コームインデックスの占有方式は、複数のポートが同じ送信コームインデックスを使用するという方式と、複数のポートが異なる送信コームインデックスを使用するという方式と、Ｌ個のポートグループが異なる送信コームインデックスを使用するという方式であって、Ｌは複数のポートをグループ分けした後のグループ数である方式との少なくとも１つを含む。
【０２８６】
実際に実施する際に、ポートグループのグループ分け方法は、
ポートインデックスの逓増順序または逓減順序に基づいてグループ分けするという方法と、
ｍｏｄ（Ｐｉ，Ｌ）の値に基づいてグループ分けし、ｍｏｄの値が同じのポートを同一のグループに分けるという方法であって、ｍｏｄはモジュロ関数であり、Ｐｉは参照信号のポートインデックスであり、Ｌは複数のポートをグループ分けした後のグループ数である方法と、
の１つを含む。
【０２８７】
実際に実施する際に、第２プロセッサ４０１は、具体的に、第２メモリ４０２に記憶されたプログラムを実行し、参照信号リソースが設定した送信コームインデックスがｋである場合、複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ、ＫＴＣ）であることを決定するステップであって、ｍｏｄはモジュロ関数であり、Ｐｉは参照信号のポートインデックスであり、ＫＴＣは参照信号の送信コーム数であるステップを実現するように構成される。
【０２８８】
実際に実施する際に、第２プロセッサ４０１は、具体的に、第２メモリ４０２に記憶されたプログラムを実行し、シグナリングにより、複数のポートの参照信号が占める送信コーム数を設定するステップを実現するように構成される。
【０２８９】
実際に実施する際に、第２プロセッサ４０１は、具体的に、第２メモリ４０２に記憶されたプログラムを実行し、参照信号に対応する巡回シフトパラメータに基づいて参照信号の送信コームインデックスを取得するステップを実現するように構成される。
【０２９０】
実際に実施する際に、参照信号に対応する巡回シフトパラメータに基づいて参照信号が占有する送信コームインデックスを取得することは、以下の少なくとも１つを含む。
【０２９１】
【数８４】
2021511714.tif 000086
（ただし、
【０２９２】
【数８５】
2021511714.tif 000087
【０２９３】
はポートに使用される送信コームインデックスであり、ＫＴＣは参照信号の送信コーム数であり、Ｐｉは参照信号のポートインデックスであり、Ｎａｐは参照信号の送信ポート数であり、
【０２９４】
【数８６】
2021511714.tif 000088
【０２９５】
はシグナリングが設定した送信コームインデックスであり、
【０２９６】
【数８７】
2021511714.tif 000089
【０２９７】
は参照信号巡回シフトであり、
【０２９８】
【数８８】
2021511714.tif 000090
【０２９９】
は参照信号巡回シフトの最大番号または参照信号巡回シフトの使用可能な数である。）
【０３００】
実際に実施する際に、参照信号の送信に使用される参照信号リソースを決定する前に、第２プロセッサ４０１は、更に、第２メモリ４０２に記憶されたプログラムを実行し、
参照信号の送信に使用される送信コームインデックスを決定するための連携情報を受信するステップを実現するように構成される。
【０３０１】
実際に実施する際に、連携情報は、参照信号の送信コームインデックスを指示するための情報と、参照信号のシーケンスＩＤと、参照信号が占める時間周波数リソース情報との少なくとも１つを含む。
【０３０２】
実際に実施する際に、第２プロセッサ４０１は、更に、第２メモリ４０２に記憶されたプログラムを実行し、シグナリングにより、参照信号リソースを設定するステップを実現するように構成される。
【０３０３】
実際に実施する際に、第２プロセッサ４０１は、具体的に、第２メモリ４０２に記憶されたプログラムを実行し、参照信号が非周期的参照信号またはタイプ１の参照信号である場合、シグナリングにより、参照信号リソースのスロットオフセットパラメータを設定するステップを実現するように構成される。
【０３０４】
実際に実施する際に、第２プロセッサ４０１は、具体的に、第２メモリ４０２に記憶されたプログラムを実行し、前記スロットオフセット値が０である場合、前記参照信号リソースが現在のスロットであることを決定するステップと、前記スロットオフセット値が１である場合、前記参照信号リソースが上り送信リソースを有する次のスロットであることを決定することと、または、前記スロットオフセット値が１である場合、前記参照信号リソースが現在のスロットであることを決定するステップと、前記スロットオフセット値が０である場合、前記参照信号リソースが上り送信リソースを有する次のスロットであることを決定することとを実現するように構成される。
【０３０５】
実際に実施する際に、第２プロセッサ４０１は、具体的に、第２メモリ４０２に記憶されたプログラムを実行し、シグナリングにより複数の参照信号リソースを設定する場合、複数の参照信号リソースの間の時間領域保護間隔はＹ個の時間領域シンボルであるステップを実現するように構成され、Ｙの値の取り方は、
送信能力に基づいてＹの値を決定するという方式と、
シグナリングによりＹの値を設定するという方式と、
異なるサブキャリア間隔に異なるＹの値を設定するという方式と、
の少なくとも１つを含む。
【０３０６】
実際に実施する際に、異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む。
【０３０７】
実際に実施する際に、第２プロセッサ４０１は、具体的に、第２メモリ４０２に記憶されたプログラムを実行し、番号ｎの参照信号リソースおよび番号ｎ＋１の参照信号リソースに対応する時間領域開始シンボルの位置がそれぞれｍおよびｇであり、ｇがｍ以下である場合、番号ｎ＋１の参照信号リソースを次の連続または非連続のスロットにおける上りシンボルに作用するステップを実現するように構成される。
【０３０８】
実際に実施する際に、第２プロセッサ４０１は、具体的に、第２メモリ４０２に記憶されたプログラムを実行し、シグナリングにより、番号が逓増方式で変化する複数の参照信号リソースを設定するステップを実現するように構成される。
【０３０９】
実際に実施する際に、第２プロセッサ４０１は、更に、第２メモリ４０２に記憶されたプログラムを実行し、番号が逓増方式で変化する複数の参照信号リソースに対応する時間領域開始位置の値が重複するかまたは逓減する場合、重複または逓減し始める時間領域開始位置に対応する参照信号リソースを、上りシンボルリソースを含む次のスロットにおける上りシンボルに作用するステップを実現するように構成される。
【０３１０】
実際に実施する際に、第２プロセッサ４０１は、具体的に、第２メモリ４０２に記憶されたプログラムを実行し、参照信号リソースが符号領域リソースを含む場合、参照信号のシーケンスグループ番号およびシーケンス番号に基づき、参照信号の送信に使用される符号領域リソースを決定するステップを実現するように構成される。
【０３１１】
実際に実施する際に、第２プロセッサは、具体的に、第２メモリに記憶されたプログラムを実行し、参照信号のシーケンス番号がジャンプイネーブルに設定された場合、参照信号のシーケンスＩＤを用いて擬似ランダムシーケンスを初期化するか、または擬似ランダムシーケンスの初期値は、
【０３１２】
【数８９】
2021511714.tif 000091
【０３１３】
であるステップを実現するように構成される。
（ただし、
【０３１４】
【数９０】
2021511714.tif 000092
【０３１５】
は参照信号のシーケンスＩＤまたは仮想セルＩＤであり、ｍｏｄはモジュロ関数である。）
【０３１６】
実際に実施する際に、第２プロセッサ４０１は、更に、第２メモリ４０２に記憶されたプログラムを実行し、参照信号に使用される、シグナリングにより設定されるかまたは参照信号の送信コーム数に関連する送信電力を決定するステップを実現するように構成される。
【０３１７】
実際に実施する際に、参照信号に使用される送信電力は、上りデータまたは物理上り共用チャネルに対してＱ  ｄＢ増大させるかまたはＱ  ｄＢ低減させる送信電力を含む。
【０３１８】
シグナリングは、送信電力を増加させるか否かまたは送信電力を低減させるか否かを指示するためのシグナリングと、参照信号の送信電力をＱ  ｄＢ増加させるまたは低減させることを指示するためのシグナリングとの少なくとも１つを含む。
【０３１９】
送信電力が参照信号の送信コーム数に関連することは、参照信号の送信コームインデックス数が８である場合、Ｑは９であることと、参照信号の送信コーム数が１６である場合、Ｑは１２であることとを含む。
【０３２０】
実際の応用において、上記第１メモリおよび第２メモリは、ランダムアクセスメモリ（Ｒａｎｄｏｍ−Ａｃｃｅｓｓ  Ｍｅｍｏｒｙ、ＲＡＭと略称する）のような揮発性メモリ（ｖｏｌａｔｉｌｅ  ｍｅｍｏｒｙ）であってもよく、または、読み出し専用メモリ（Ｒｅａｄ−Ｏｎｌｙ  Ｍｅｍｏｒｙ、ＲＯＭと略称する）、フラッシュメモリ（ｆｌａｓｈ  ｍｅｍｏｒｙ）、ハードディスク（Ｈａｒｄ  Ｄｉｓｋ  Ｄｒｉｖｅ、ＨＤＤと略称する）またはソリッドステートドライブ（Ｓｏｌｉｄ−Ｓｔａｔｅ  Ｄｒｉｖｅ、ＳＳＤと略称する）のような不揮発性メモリ（ｎｏｎ−ｖｏｌａｔｉｌｅ  ｍｅｍｏｒｙ）であってもよく、あるいは、上記種類のメモリの組み合わせであってもよく、プロセッサに命令およびデータを提供する。
【０３２１】
上記第１プロセッサおよび第２プロセッサは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称する）、デジタル信号処理装置（Ｄｉｇｉｔａｌ  Ｓｉｇｎａｌ  Ｐｒｏｃｅｓｓｉｎｇ  Ｄｅｖｉｃｅ、ＤＳＰＤと略称する）、プログラマブルロジック装置（Ｐｒｏｇｒａｍｍａｂｌｅ  Ｌｏｇｉｃ  Ｄｅｖｉｃｅ、ＰＬＤと略称する）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡと略称する）、中央処理装置（Ｃｅｎｔｒａｌ  Ｐｒｏｃｅｓｓｉｎｇ  Ｕｎｉｔ、ＣＰＵと略称する）、マイクロプロセッサ（Ｍｉｃｒｏ  Ｐｒｏｃｅｓｓｏｒ  Ｕｎｉｔ、ＭＰＵと略称する）、デジタル信号プロセッサ（Ｄｉｇｉｔａｌ  Ｓｉｇｎａｌ  Ｐｒｏｃｅｓｓｏｒ、ＤＳＰと略称する）、コントローラ、マイクロコントローラのうちの少なくとも１種であってもよい。異なる装置に対し、上記プロセッサ機能を実現するように構成される電子機器は他のものであってもよく、本開示の実施例は具体的に限定しないことが理解できる。
【０３２２】
（実施例１１）
本開示の実施例の受信方法と同一の発明概念に基づき、本開示の実施例は、コンピュータ可読記憶媒体を更に提供し、例えば、コンピュータプログラムを含むメモリであり、上記コンピュータプログラムは、第１通信ノードのプロセッサにより実行され、前述した１つまたはより多くの受信方法の実施例における方法ステップを完了することができる。
【０３２３】
（実施例１２）
本開示の実施例の送信方法と同一の発明概念に基づき、本開示の実施例は、別のコンピュータ可読記憶媒体を更に提供し、例えば、コンピュータプログラムを含むメモリであり、上記コンピュータプログラムは、第２通信ノードのプロセッサにより実行され、前述した１つまたはより多くの送信方法の実施例における方法のステップを完了することができる。
【０３２４】
もちろん、当業者であれば、上記本開示の各モジュールまたは各ステップは汎用の計算装置で実現でき、それらが単一の計算装置に集中されてもよいし、複数の計算装置からなるネットワークに分布されてもよいことが理解されるべきである。好ましくは、それらは計算装置により実行可能なプログラムコードで実現できるため、それらを記憶装置に記憶して計算装置により実行することができ、且つ、いくつかの場合に、ここでの順序と異なる順序で示されたまたは説明されたステップを実行してもよいし、またはそれらをそれぞれの集積回路モジュールに作製し、あるいは、それらのうちの複数のモジュールまたはステップを単一の集積回路モジュールに作製して実現してもよい。このように、本開示は、任意の特定のハードウェアとソフトウェアとの組み合わせに限定されない。
【０３２５】
以上は本開示の好ましい実施例に過ぎず、本開示を限定するものではなく、当業者にとって、本開示は様々な変更および変化が可能である。本開示の原則内で行われるあらゆる修正、均等置換、改良等は、全て本開示の保護範囲内に含まれるべきである。
【図１】
2021511714.tif 000197
【図２】
2021511714.tif 000198
【図３】
2021511714.tif 000199
【図４】
2021511714.tif 000200
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
参照信号の送信に使用される参照信号リソースを決定することと、
シグナリングにより、前記参照信号リソースを設定すること、
前記参照信号リソースで送信した参照信号を受信することと、を含み、
前記参照信号リソースは周波数領域リソースを含み、前記参照信号の送信コームインデックスに基づき、前記参照信号の送信に使用される周波数領域リソースを決定する、または、前記参照信号リソースは符号領域リソースを含み、参照信号のシーケンスグループ番号およびシーケンス番号に基づき、参照信号の送信に使用される符号領域リソースを決定し、
前記参照信号のシーケンス番号がジャンプイネーブルに設定された場合、参照信号のシーケンスＩＤを用いて擬似ランダムシーケンスを初期化するか、または
【数１】
2021511714.tif 000201
を用いて擬似ランダムシーケンスの初期値とする、参照信号受信方法。
（ただし、
【数２】
2021511714.tif 000202
は参照信号のシーケンスＩＤまたは仮想セルＩＤであり、ｍｏｄはモジュロ関数である。）
【請求項２】
前記参照信号の送信コームインデックスを決定する方式は、
上位層無線リソース制御ＲＲＣシグナリングに基づいて送信コームインデックスおよびインデックスオフセット量を設定し、前記参照信号の送信コームインデックスを決定するという方式と、
前記参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、
のうちの１つを含む、請求項１に記載の方法。
【請求項３】
参照信号が位置するスロットのインデックスと、参照信号が位置するシンボルのインデックスと、参照信号または参照信号リソースが占めるシンボル数と、参照信号のシーケンスアイデンティティＩＤと、無線ネットワーク一時的識別子ＲＮＴＩと、参照信号の送信コーム数と、セル識別子ＩＤとの少なくとも１つのパラメータに基づき、前記参照信号のインデックスオフセット量を決定することを更に含む、請求項２に記載の方法。
【請求項４】
前記参照信号のインデックスオフセット量または前記予め定義された参照信号の送信コームインデックスは、以下の数式により決定され、
【数３】
2021511714.tif 000203
【数４】
2021511714.tif 000204
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【数５】
2021511714.tif 000205
は擬似ランダムシーケンスにおける番号
【数６】
2021511714.tif 000206
に対応する数値であり、
【数７】
2021511714.tif 000207
は擬似ランダムシーケンスにおける番号
【数８】
2021511714.tif 000208
に対応する数値であり、
【数９】
2021511714.tif 000209
は１つの無線フレーム内のスロット番号である。）
前記擬似ランダムシーケンスの初期値は、
【数１０】
2021511714.tif 000210
【数１１】
2021511714.tif 000211
【数１２】
2021511714.tif 000212
【数１３】
2021511714.tif 000213
【数１４】
2021511714.tif 000214
【数１５】
2021511714.tif 000215
または、
【数１６】
2021511714.tif 000216
のいずれか１つを含む、請求項３に記載の方法。
（ただし、
【数１７】
2021511714.tif 000217
はセル識別子ＩＤであり、
【数１８】
2021511714.tif 000218
は参照信号のシーケンスＩＤまたは仮想セルＩＤであり、
【数１９】
2021511714.tif 000219
はラウンドダウン関数であり、Δｓｓ∈｛０，１，．．．，ＫＴＣ−１｝である。）
【請求項５】
複数のポートの参照信号に使用される送信コームインデックスを決定することを更に含む、請求項１に記載の方法。
【請求項６】
前記複数のポートの参照信号に使用される送信コームインデックスを決定することは、前記参照信号リソースが設定した送信コームインデックスがｋである場合、前記複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定することであって、ｍｏｄはモジュロ関数であり、Ｐｉは前記参照信号のポートインデックスであり、ＫＴＣは参照信号の送信コーム数であることを含む、請求項５に記載の方法。
【請求項７】
前記参照信号に対応する巡回シフトパラメータに基づいて前記参照信号の送信コームインデックスを取得すること、または、前記参照信号の巡回シフトが位置するセグメント位置に基づいて前記参照信号の送信コームインデックスを取得することを更に含み、
前記参照信号に対応する巡回シフトパラメータに基づいて前記参照信号の送信コームインデックスを取得することは、以下の少なくとも１つを含む、請求項２に記載の方法。
【数２０】
2021511714.tif 000220
（ただし、
【数２１】
2021511714.tif 000221
はポートに使用される送信コームインデックスであり、ＫＴＣは参照信号の送信コーム数であり、Ｐｉは前記参照信号のポートインデックスであり、Ｎａｐは参照信号の送信ポート数であり、
【数２２】
2021511714.tif 000222
はシグナリングが設定した送信コームインデックスであり、
【数２３】
2021511714.tif 000223
は参照信号巡回シフトであり、
【数２４】
2021511714.tif 000224
は参照信号巡回シフトの最大番号または参照信号巡回シフトの使用可能な数である。）
【請求項８】
前記シグナリングにより、前記参照信号リソースを設定することは、前記参照信号が非周期的参照信号またはタイプ１の参照信号である場合、シグナリングにより、前記参照信号リソースのスロットオフセットパラメータを設定することを含む、請求項１に記載の方法。
【請求項９】
前記シグナリングにより、前記参照信号リソースを設定することは、シグナリングにより、その間の時間領域保護間隔がＹ個の時間領域シンボルである複数の参照信号リソースを設定することを含み、Ｙの値の取り方は、
送信装置自身の能力に基づいてＹの値を決定するという方式と、
シグナリングによりＹの値を設定するという方式と、
異なるサブキャリア間隔に異なるＹの値を設定するという方式と、
の少なくとも１つを含み、
前記異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む、請求項１に記載の方法。
【請求項１０】
参照信号の送信に使用される参照信号リソースを決定することと、
決定した参照信号リソースで参照信号を送信することと、
を含み、
前記参照信号リソースは周波数領域リソースを含み、前記参照信号の送信コームインデックスに基づき、前記参照信号の送信に使用される周波数領域リソースを決定する、または、前記参照信号リソースは符号領域リソースを含み、参照信号のシーケンスグループ番号およびシーケンス番号に基づき、参照信号の送信に使用される符号領域リソースを決定し、
前記参照信号のシーケンス番号がジャンプイネーブルに設定された場合、参照信号のシーケンスＩＤを用いて擬似ランダムシーケンスを初期化するか、または
【数２５】
2021511714.tif 000225
を用いて擬似ランダムシーケンスの初期値とする、参照信号送信方法。
（ただし、
【数２６】
2021511714.tif 000226
は参照信号のシーケンスＩＤまたは仮想セルＩＤであり、ｍｏｄはモジュロ関数である。）
【請求項１１】
前記参照信号の送信コームインデックスを決定する方式は、
上位層無線リソース制御ＲＲＣシグナリングに基づいて送信コームインデックスおよびインデックスオフセット量を設定し、前記参照信号の送信コームインデックスを決定するという方式と、
前記参照信号リソース内の１つ目の時間領域シンボルにおいて参照信号リソースで設定した送信コームインデックス、残りの時間領域シンボルにおいて予め定義された参照信号を使用する送信コームインデックスを決定するという方式と、
のうちの１つを含む、請求項１０に記載の方法。
【請求項１２】
参照信号が位置するスロットのインデックスと、参照信号が位置するシンボルのインデックスと、参照信号または参照信号リソースが占めるシンボル数と、参照信号のシーケンスアイデンティティＩＤと、無線ネットワーク一時的識別子ＲＮＴＩと、参照信号の送信コーム数と、セル識別子ＩＤとの少なくとも１つのパラメータに基づき、前記参照信号のインデックスオフセット量を決定することを更に含む、請求項１１に記載の方法。
【請求項１３】
前記参照信号のインデックスオフセット量または前記予め定義された参照信号の送信コームインデックスは、以下の数式により決定され、
【数２７】
2021511714.tif 000227
【数２８】
2021511714.tif 000228
（ただし、ＫＴＣは参照信号の送信コーム数であり、ｌ’∈｛０，１，．．．，Ｍ−１｝は参照信号リソース内の時間領域シンボル番号または予め定義された番号であり、Ｋは整数であり、Ｍは設定された参照信号シンボル数または予め定義されたある整数であり、
【数２９】
2021511714.tif 000229
は擬似ランダムシーケンスにおける番号
【数３０】
2021511714.tif 000230
に対応する数値であり、
【数３１】
2021511714.tif 000231
は擬似ランダムシーケンスにおける番号
【数３２】
2021511714.tif 000232
に対応する数値であり、
【数３３】
2021511714.tif 000233
は１つの無線フレーム内のスロット番号である。）
前記擬似ランダムシーケンスの初期値は、
【数３４】
2021511714.tif 000234
【数３５】
2021511714.tif 000235
【数３６】
2021511714.tif 000236
【数３７】
2021511714.tif 000237
【数３８】
2021511714.tif 000238
【数３９】
2021511714.tif 000239
または、
【数４０】
2021511714.tif 000240
のいずれか１つを含む、請求項１１に記載の方法。
（ただし、
【数４１】
2021511714.tif 000241
はセル識別子ＩＤであり、
【数４２】
2021511714.tif 000242
は参照信号のシーケンスＩＤまたは仮想セルＩＤであり、
【数４３】
2021511714.tif 000243
はラウンドダウン関数であり、Δｓｓ∈｛０，１，．．．，ＫＴＣ−１｝である。）
【請求項１４】
複数のポートの参照信号に使用される送信コームインデックスを決定することを更に含む、請求項１０に記載の方法。
【請求項１５】
前記複数のポートの参照信号に使用される送信コームインデックスを決定することは、前記参照信号リソースが設定した送信コームインデックスがｋである場合、前記複数のポートのうちの予め定義された１つのまたは複数のポートの参照信号に使用される送信コームインデックスがｋであり、残りのポートの参照信号に使用される送信コームインデックスがｋ、またはｍｏｄ（ｋ＋ＫＴＣ／２，ＫＴＣ）、またはｍｏｄ（Ｐｉ＋ｋ＋ＫＴＣ／２，ＫＴＣ）、またはｍｏｄ（Ｐｉ＋ｋ，ＫＴＣ）であることを決定することであって、ｍｏｄはモジュロ関数であり、Ｐｉは前記参照信号のポートインデックスであり、ＫＴＣは参照信号の送信コーム数であることを含む、請求項１４に記載の方法。
【請求項１６】
前記参照信号に対応する巡回シフトパラメータに基づいて前記参照信号の送信コームインデックスを取得すること、または、前記参照信号の巡回シフトが位置するセグメント位置に基づいて前記参照信号の送信コームインデックスを取得することを更に含み、
前記参照信号に対応する巡回シフトパラメータに基づいて前記参照信号の送信コームインデックスを取得することは、以下の少なくとも１つを含む、請求項１０に記載の方法。
【数４４】
2021511714.tif 000244
（ただし、
【数４５】
2021511714.tif 000245
はポートに使用される送信コームインデックスであり、ＫＴＣは参照信号の送信コーム数であり、Ｐｉは前記参照信号のポートインデックスであり、Ｎａｐは参照信号の送信ポート数であり、
【数４６】
2021511714.tif 000246
はシグナリングが設定した送信コームインデックスであり、
【数４７】
2021511714.tif 000247
は参照信号巡回シフトであり、
【数４８】
2021511714.tif 000248
は参照信号巡回シフトの最大番号または参照信号巡回シフトの使用可能な数である。）
【請求項１７】
シグナリングにより、前記参照信号リソースを設定することを更に含み、
前記シグナリングにより、前記参照信号リソースを設定することは、前記参照信号が非周期的参照信号またはタイプ１の参照信号である場合、シグナリングにより、前記参照信号リソースのスロットオフセットパラメータを設定することを含む、請求項１０に記載の方法。
【請求項１８】
シグナリングにより、前記参照信号リソースを設定することを更に含み、
前記シグナリングにより、前記参照信号リソースを設定することは、シグナリングにより複数の参照信号リソースを設定する場合、前記複数の参照信号リソースの間の時間領域保護間隔はＹ個の時間領域シンボルであることを含み、Ｙの値の取り方は、
送信能力に基づいてＹの値を決定するという方式と、
シグナリングによりＹの値を設定するという方式と、
異なるサブキャリア間隔に異なるＹの値を設定するという方式と、
の少なくとも１つを含み、
前記異なるサブキャリア間隔に異なるＹの値を設定することは、
サブキャリア間隔が０に設定され、またはサブキャリア間隔が１５ＫＨｚである場合、Ｙの値は１であることと、
サブキャリア間隔が１に設定され、またはサブキャリア間隔が３０ＫＨｚである場合、Ｙの値は１であることと、
サブキャリア間隔が２に設定され、またはサブキャリア間隔が６０ＫＨｚである場合、Ｙの値は１であることと、
サブキャリア間隔が３に設定され、またはサブキャリア間隔が１２０ＫＨｚである場合、Ｙの値は２であることと、
サブキャリア間隔が４に設定され、またはサブキャリア間隔が２４０ＫＨｚである場合、Ｙの値は４であることと、
の少なくとも１つを含む、請求項１０に記載の方法。
【請求項１９】
第１プロセッサおよび第１メモリを備え、
前記第１プロセッサは、前記第１メモリに記憶されたプログラムを実行し、
参照信号の送信に使用される参照信号リソースを決定するステップと、
前記参照信号リソースで送信した参照信号を受信するステップと、
を実現するように構成される、参照信号受信装置。
【請求項２０】
第２プロセッサおよび第２メモリを備える参照信号送信装置であって、前記第２プロセッサは、前記第２メモリに記憶されたプログラムを実行し、
参照信号の送信に使用される参照信号リソースを決定するステップと、
決定した参照信号リソースで参照信号を送信するステップと、
を実現するように構成される、参照信号送信装置。
【手続補正２】
【補正対象書類名】明細書
【補正対象項目名】０００８
【補正方法】変更
【補正の内容】
【０００８】
新たな無線アクセス技術（Ｎｅｗ  Ｒａｄｉｏ  Ａｃｃｅｓｓ  Ｔｅｃｈｎｏｌｏｇｙ、ＮＲと略称する）において、高周波数通信システムは、第１通信ノードに大量のアンテナを設定して下り伝送ビームを形成して高周波数通信の空間フェージングを補償するほか、第２通信ノードにも同様に大量のアンテナを設定して上り伝送ビームを形成し、この場合、ＳＲＳの送信もビームの形態で送信する。第２通信ノードの電力が限られているため、ＳＲＳの上りカバレッジを増強するために、増強された技術でＳＲＳを送信する必要があるとともにユーザ間およびセル間の干渉を考慮する必要があるが、関連技術においては、対応する通信態様がない。
【手続補正３】
【補正対象書類名】明細書
【補正対象項目名】００５９
【補正方法】変更
【補正の内容】
【００５９】
更に、参照信号が位置するスロットのインデックスと、参照信号が位置するシンボルのインデックスと、参照信号または参照信号リソースが占めるシンボル数と、参照信号のシーケンスＩＤと、無線ネットワーク一時的識別子（Ｒａｄｉｏ  Ｎｅｔｗｏｒｋ  Ｔｅｍｐｏｒａｒｙ  Ｉｄｅｎｔｉｔｙ、と略称するＲＮＴＩ）と、参照信号の送信コーム数と、セルＩＤとの少なくとも１つのパラメータに基づき、参照信号のインデックスオフセット量を決定することができる。ここで、ＲＮＴＩは、具体的に、第２通信ノードのＲＮＴＩである。
【手続補正４】
【補正対象書類名】明細書
【補正対象項目名】０１１５
【補正方法】変更
【補正の内容】
【０１１５】
はラウンドダウン関数であり、Δｓｓ∈｛０，１，．．．，ＫＴＣ−１｝である。）
【手続補正５】
【補正対象書類名】明細書
【補正対象項目名】０１５８
【補正方法】変更
【補正の内容】
【０１５８】
送信電力が参照信号の送信コーム数に関連することは、参照信号の送信コーム数が８である場合、Ｑは９であることと、参照信号の送信コーム数が１６である場合、Ｑは１２であることと、参照信号の送信コーム数が４である場合、Ｑは６であることと、参照信号の送信コーム数が２である場合、Ｑは３であることとを含む。
【手続補正６】
【補正対象書類名】明細書
【補正対象項目名】０１９８
【補正方法】変更
【補正の内容】
【０１９８】
はラウンドダウン関数であり、Δｓｓ∈｛０，１，．．．，ＫＴＣ−１｝である。）
【手続補正７】
【補正対象書類名】明細書
【補正対象項目名】０２４２
【補正方法】変更
【補正の内容】
【０２４２】
送信電力が参照信号の送信コーム数に関連することは、参照信号の送信コーム数が８である場合、Ｑは９であることと、参照信号の送信コーム数が１６である場合、Ｑは１２であることとを含む。
【手続補正８】
【補正対象書類名】明細書
【補正対象項目名】０２７７
【補正方法】変更
【補正の内容】
【０２７７】
はラウンドダウン関数であり、Δｓｓ∈｛０，１，．．．，ＫＴＣ−１｝である。）
【手続補正９】
【補正対象書類名】明細書
【補正対象項目名】０３１９
【補正方法】変更
【補正の内容】
【０３１９】
送信電力が参照信号の送信コーム数に関連することは、参照信号の参照信号の送信コーム数が８である場合、Ｑは９であることと、参照信号の送信コーム数が１６である場合、Ｑは１２であることとを含む。
【国際調査報告】
2021511714.tif 000249
2021511714.tif 000250
2021511714.tif 000251
2021511714.tif 000252
2021511714.tif 000253
2021511714.tif 000254